(57)【要約】  本発明は、タグライブラリ構築方法及びユーザ検索方法及びその装置を開示した。その方法は、前記ソーシャル・ネットワーク中のタグ付与ユーザがタグ受けユーザに対して付与するタグ情報を受信し、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含む。ソーシャル・ネットワーク中のユーザがその他のユーザに対して付与するタグ情報及びユーザ関係を記憶してタグライブラリを取得し、該タグライブラリを用いて、タグ情報及びユーザ関係に基づく連絡先の検索を行うことができる。タグ情報及びユーザ関係との二つの条件に基づいて検索を行うので、探し出したユーザがユーザと間接連絡先の関係を有し、探し出したユーザがより信頼でき、検索の成功率を向上できた。【選択図】図１
2015537308.tif 000002
【特許請求の範囲】
【請求項１】
ソーシャル・ネットワーク中のタグ付与ユーザがタグ受けユーザに対して付与するタグ情報を受信し、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含むことを特徴とするタグライブラリ構築方法。
【請求項２】
前記タグ付与ユーザがタグ受けユーザに対して付与するタグ情報は、
職業、得意スキル、趣味嗜好、尊敬する有名人、仕事状態及び個人生活状態のうちの一種又は複数種の情報を含むことを特徴とする請求項１に記載のタグライブラリ構築方法。
【請求項３】
前記ソーシャル・ネットワーク中のタグ付与ユーザがタグ受けユーザに対して付与するタグ情報を受信する前に、
タグ受けユーザから送信された、少なくとも一人のタグ付与ユーザを招いて前記タグ受けユーザに対してタグを付与するための要求を受信し、
前記タグ受けユーザからのタグ付与の要求を、前記少なくとも一人のタグ付与ユーザのうちの各タグ付与ユーザに送信することを更に含むことを特徴とする請求項１に記載のタグライブラリ構築方法。
【請求項４】
前記タグ受けユーザから送信された、少なくとも一人のタグ付与ユーザを招いて前記タグ受けユーザに対してタグを付与するための要求には、タグ受けユーザが自身に対して付与するタグ情報を含み、
前記少なくとも一人のタグ付与ユーザのうちの各タグ付与ユーザに送信した、前記タグ受けユーザからのタグ付与の要求には、前記タグ受けユーザが自身に対して付与するタグ情報を含むことを特徴とする請求項３に記載のタグライブラリ構築方法。
【請求項５】
前記ソーシャル・ネットワーク中のタグ付与ユーザがタグ受けユーザに対して付与するタグ情報を受信した後に、
タグ受けユーザに対してタグが付与されることを許可するか否かを判定することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ受けユーザに対してタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含むことを特徴とする請求項１に記載のタグライブラリ構築方法。
【請求項６】
前記ソーシャル・ネットワーク中のタグ付与ユーザがタグ受けユーザに対して付与するタグ情報を受信した後に、
タグ受けユーザが確認を行うように、タグ付与ユーザがタグ受けユーザに対して付与するタグ情報をタグ受けユーザに送信し、
タグ受けユーザが前記タグ情報に同意するメッセージを受信したか否かを判定することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含むことを特徴とする請求項１に記載のタグライブラリ構築方法。
【請求項７】
前記ソーシャル・ネットワーク中のタグ付与ユーザがタグ受けユーザに対して付与するタグ情報を受信した後に、
タグ受けユーザが補足を行うように、タグ付与ユーザがタグ受けユーザに対して付与するタグ情報をタグ受けユーザに送信し、
タグ受けユーザが補足した後のタグ情報を受信することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ付与ユーザとタグ受けユーザと前記補足後のタグ情報とを関連付けて記憶し、ソーシャル・ネットワーク中のユーザ関係に基づいてタグライブラリを構築することを含むことを特徴とする請求項１に記載のタグライブラリ構築方法。
【請求項８】
タグ付与ユーザがタグ受けユーザに対して付与するタグ情報の有効期限を取得することを更に含み、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築することを含み、
さらに、タグ情報の有効期限を超えた時、前記タグ情報の有効期限に関連するタグ付与ユーザとタグ受けユーザと前記タグ付与ユーザがタグ受けユーザに対して付与するタグ情報とを、タグライブラリから削除する含むことを特徴とする請求項１に記載のタグライブラリ構築方法。
【請求項９】
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信し、
前記タグライブラリ中のユーザ関係に基づいて、前記検索発起者の予め設定のランキングの連絡先、即ち前記ユーザ関係に基づいて予め設定のランキング内で前記検索発起者とユーザ関係を有する連絡先を確定し、
前記タグライブラリ中の前記連絡先がタグ付与ユーザであるタグ情報において、前記キーワードにマッチングのタグ情報を検索し、
探し出したマッチングのタグ情報をフィードバックすることを含むことを特徴とするユーザ検索方法。
【請求項１０】
前記検索要求は、前記検索発起者によって前記タグライブラリへ送信するものであり、
前記探し出したマッチングのタグ情報をフィードバックすることは、前記マッチングのタグ情報の帰属したタグ受けユーザの情報を前記検索発起者に送信することであることを特徴とする請求項９に記載のユーザ検索方法。
【請求項１１】
前記検索要求は、前記タグライブラリ中のタグ情報のタグ受けユーザを検索発起者とし、前記タグ情報から前記検索のキーワードを取得する検索要求であり、
前記探し出したマッチングのタグ情報をフィードバックすることは、前記マッチングのタグ情報を前記検索発起者及び／或は前記マッチングのタグ情報の帰属したタグ受けユーザに送信することであることを特徴とする請求項９に記載のユーザ検索方法。
【請求項１２】
前記予め設定のランキングが前記検索発起者或はシステムによって設定されることを特徴とする請求項９〜１１のうちの何れか一項に記載のユーザ検索方法。
【請求項１３】
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得し、
取得されたユーザ関係を、前記検索発起者及び／或は前記マッチングのタグ情報の帰属したタグ受けユーザに送信することを含むことを特徴とする請求項９〜１１のうちの何れか一項に記載のユーザ検索方法。
【請求項１４】
ソーシャル・ネットワーク中のタグ付与ユーザがタグ受けユーザに対して付与するタグ情報を受信する第一の受信モジュールと、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築するタグライブラリ構築モジュールとを備えることを特徴とするタグライブラリ構築装置。
【請求項１５】
前記タグ付与ユーザがタグ受けユーザに対して付与するタグ情報は、
職業、得意スキル、趣味嗜好、尊敬する有名人、仕事状態及び個人生活状態のうちの一種又は複数種の情報を含むことを特徴とする請求項１４に記載のタグライブラリ構築装置。
【請求項１６】
タグ受けユーザから送信された、少なくとも一人のタグ付与ユーザを招いて前記タグ受けユーザに対してタグを付与するための要求を受信する第二の受信モジュールと、
前記タグ受けユーザからのタグ付与の要求を、前記少なくとも一人のタグ付与ユーザのうちの各タグ付与ユーザに送信する第一の送信モジュールとを更に備えることを特徴とする請求項１４に記載のタグライブラリ構築装置。
【請求項１７】
前記タグ受けユーザから送信された、少なくとも一人のタグ付与ユーザを招いて前記タグ受けユーザに対してタグを付与するための要求には、タグ受けユーザが自身に対して付与するタグ情報を含み、
前記少なくとも一人のタグ付与ユーザのうちの各タグ付与ユーザに送信した前記タグ受けユーザからのタグ付与の要求には、前記タグ受けユーザが自身に対して付与するタグ情報を含むことを特徴とする請求項１４に記載のタグライブラリ構築装置。
【請求項１８】
タグ受けユーザに対してタグが付与されることを許可するか否かを判定する第一の判定モジュールを更に備え、
前記タグライブラリ構築モジュールは、
タグ受けユーザに対してタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを特徴とする請求項１４に記載のタグライブラリ構築装置。
【請求項１９】
タグ受けユーザが確認を行うように、タグ付与ユーザがタグ受けユーザに対して付与するタグ情報をタグ受けユーザに送信する第二の送信モジュールと、
タグ受けユーザが前記タグ情報に同意するメッセージを受信したか否かを判定する第二の判定モジュールとを更に備え、
前記タグライブラリ構築モジュールは、
タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを特徴とする請求項１４に記載のタグライブラリ構築装置。
【請求項２０】
タグ受けユーザが補足を行うように、タグ付与ユーザがタグ受けユーザに対して付与するタグ情報をタグ受けユーザに送信する第三の送信モジュールと、
タグ受けユーザが補足した後のタグ情報を受信する第三の受信モジュールと、を更に備え、
前記タグライブラリ構築モジュールは、タグ付与ユーザとタグ受けユーザと前記補足後のタグ情報とを関連付けて記憶し、ソーシャル・ネットワーク中のユーザ関係に基づいてタグライブラリを構築することを特徴とする請求項１４に記載のタグライブラリ構築装置。
【請求項２１】
タグ付与ユーザがタグ受けユーザに対して付与するタグ情報の有効期限を取得する第一の取得モジュールを更に備え、
前記タグライブラリ構築モジュールは、タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築し、
タグ情報の有効期限を超えた時、前記タグ情報の有効期限に関連するタグ付与ユーザ、タグ受けユーザ、前記タグ付与ユーザがタグ受けユーザに対して付与するタグ情報をタグライブラリから削除する削除モジュールを更に備えることを特徴とする請求項１４に記載のタグライブラリ構築装置。
【請求項２２】
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信する第四の受信モジュールと、
前記タグライブラリ中のユーザ関係に基づいて、前記検索発起者の予め設定のランキングの連絡先、即ち前記ユーザ関係に基づいて予め設定のランキング内で前記検索発起者とユーザ関係を有する連絡先を確定する確定モジュールと、
前記タグライブラリ中の前記連絡先がタグ付与ユーザであるタグ情報において、前記キーワードにマッチングのタグ情報を検索する検索モジュールと、
探し出したマッチングのタグ情報をフィードバックするフィードバックモジュールとを備えることを特徴とするユーザ検索装置。
【請求項２３】
前記検索要求は、前記検索発起者によって前記タグライブラリへ送信するものであり、
前記フィードバックモジュールは、前記マッチングのタグ情報の帰属したタグ受けユーザの情報を前記検索発起者に送信することを特徴とする請求項２２に記載のユーザ検索装置。
【請求項２４】
前記検索要求は、前記タグライブラリ中のタグ情報のタグ受けユーザを検索発起者とし、前記タグ情報から前記検索のキーワードを取得する検索要求であり、
前記フィードバックモジュールは、前記マッチングのタグ情報を前記検索発起者及び／或は前記マッチングのタグ情報の帰属したタグ受けユーザに送信することを特徴とする請求項２２に記載のユーザ検索装置。
【請求項２５】
前記予め設定のランキングが前記検索発起者或はシステムによって設定されることを特徴とする請求項２２〜２４のうちの何れか一項に記載のユーザ検索装置。
【請求項２６】
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得する第二の取得モジュールと、
取得されたユーザ関係を前記検索発起者及び／或は前記マッチングのタグ情報の帰属したタグ受けユーザに送信する第四の送信モジュールとを更に備えることを特徴とする請求項２２〜２４のうちの何れか一項に記載のユーザ検索装置。
【発明の詳細な説明】
【技術分野】
【０００１】
本発明はコンピュータ及び通信技術分野に関する。より具体的に言えば、タグライブラリ（Ｔａｇ  Ｌｉｂｒａｒｙ）構築方法、ユーザ検索方法及びその装置に関する。
【背景技術】
【０００２】
インターネット技術の発展によって、ユーザは現代のコンピュータ情報技術から高水準、全方位のサービスを享受することができる。インターネットの発展によって生まれ出たソーシャル・ネットワーク（Ｓｏｃｉａｌ  Ｎｅｔｗｏｒｋ  Ｓｅｒｖｉｃｅ、ＳＮＳ）は、インターネットが現実世界へより接近するように促進する重要な力になり、インターネットが研究部門、学校、政府、ビジネスのためのアプリケーションプラットフォームから一般の人々の交流ニーズを満たす社会交流のツールへと拡張し、伝統的な社会的交際に置き換わった。ソーシャル・ネットワークは、「低コスト置換」の原則を遵奉することによって、人々の社会的交際の時間及び物質のコストを効果的に低下させ、言い換えれば情報の管理及び伝達のコストを低下させた。人々は、ソーシャル・ネットワークを利用して距離が千里以上の遠いところの友達と互いにメールを送信したり、一つの仕事を共同で行ったり、娯楽を共同で楽しんだりすることができる。また、ユーザを検索してそのユーザを連絡先に追加することもできることによって、新たな友人を作り、自分自身の人脈及び交際範囲を拡大することもできる。
【０００３】
現在、ソーシャル・ネットワークにおいて、ユーザが一定の条件に従って連絡先を検索する時、一般的にユーザの直接連絡先の中から検索或は全サイトでの検索を行うことになっている。
【０００４】
しかしながら、上述したユーザ間の連絡関係は、直接の連絡先の間のみに限られ、即ちユーザが自身の連絡先アドレスブックにおける連絡先のみとしか相互連結できない。ユーザがある条件を満たしたユーザを探したい時、ユーザの直接連絡先の中から或は全体のソーシャル・ネットワークのみから検索しなければならない。しかし、このようなユーザ情報取得方法は、ある程度の不確定性を有するため、ユーザがそのニーズを満足できるユーザを検索し得る効率及び正確性が低い。
【発明の概要】
【０００５】
本発明の実施例は、上記の問題を鑑みて、ソーシャル・ネットワーク中のユーザがその他のユーザに対してタグを付与し、付与したタグ及びユーザ関係を記憶し、ユーザがその他のユーザに対して付与するタグ及びユーザ関係を記憶することによってタグライブラリを構築し、該タグライブラリを用いてタグ及びユーザ関係に基づく連絡先の検索を実現できるタグライブラリ構築方法、ユーザ検索方法及びその装置を提供することを目的とする。
【０００６】
一の態様において、本発明の実施例がタグライブラリ構築方法を提供した。前記方法は、
ソーシャル・ネットワーク中のタグ付与ユーザがタグ受けユーザに対して付与するタグ情報を受信し、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含む。
【０００７】
本実施例は、ソーシャル・ネットワーク中のユーザがその他のユーザに対してタグを付与し、且つ付与したタグ情報及びユーザ関係を記憶し、ユーザがその他のユーザに対して付与するタグ及びユーザ関係を記憶することによってタグライブラリを取得し、該タグライブラリを用いてタグ及びユーザ関係に基づく連絡先の検索を行うことが実現できる。タグ情報、ユーザ関係との二つの条件に基づいて検索を行うので、探し出したユーザが検索を実行するユーザと間接連絡先の関係を有し、探し出したユーザがより信頼でき、検索の成功率を向上できる。
【０００８】
一つの実施例において、タグ付与ユーザがタグ受けユーザに対して付与するタグ情報は、職業、得意スキル、趣味嗜好、尊敬する有名人、仕事状態及び個人生活状態のうちの一種又は複数種の情報を含む。
【０００９】
一つの実施例において、前記ソーシャル・ネットワーク中のタグ付与ユーザがタグ受けユーザに対して付与するタグ情報を受信する前に、
前記方法は、タグ受けユーザから送信された、少なくとも一人のタグ付与ユーザを招いて前記タグ受けユーザに対してタグを付与するための要求を受信し、
前記タグ受けユーザからのタグ付与の要求を、前記少なくとも一人のタグ付与ユーザのうちの各タグ付与ユーザに送信することを更に含む。
【００１０】
本実施例は、タグ受けユーザが他人を受動的に待って自身に対してタグを付与してもらわず、タグ受けユーザによって他人を自発的に招いて自身に対してタグを付与してもらうことを実現することよってタグ形態の柔軟性を向上し、ユーザ体験を改善した。
【００１１】
一つの実施例において、前記タグ受けユーザから送信された、少なくとも一人のタグ付与ユーザを招いて前記タグ受けユーザに対してタグを付与するための要求には、タグ受けユーザが自身に対して付与するタグ情報を含み、
前記少なくとも一人のタグ付与ユーザのうちの各タグ付与ユーザに送信した前記タグ受けユーザからのタグ付与の要求には、前記タグ受けユーザが自身に対して付与するタグ情報を含む。
【００１２】
本実施例は、タグ受けユーザがタグ情報を提供し、タグ付与ユーザの確認を要求する技術案を実現できた。このように、タグ受けユーザが自身でもタグ情報を編集でき、タグ付与ユーザがそのタグ情報を確認或は修正すれば良いので、タグ付与ユーザ及びタグ受けユーザの操作がより柔軟になり、ユーザ体験を改善した。
【００１３】
一つの実施例において、前記ソーシャル・ネットワーク中のタグ付与ユーザがタグ受けユーザに対して付与するタグ情報を受信した後に、
前記方法は、タグ受けユーザに対してタグが付与されることを許可するか否かを判定することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、タグ受けユーザに対してタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含む。
【００１４】
本技術案において、タグ受けユーザの設定に基づいて、タグ付与ユーザがタグ受けユーザに対して付与するタグ情報を記憶するか否かを判定し、タグ受けユーザに対してタグが付与されることを許可した場合のみ、タグ受けユーザに対してタグを付与する。これによって、ユーザに対して随意にタグが付与されることを効果的に防止でき、タグの安全性及び有効性を向上できた。
【００１５】
一つの実施例において、前記ソーシャル・ネットワーク中のタグ付与ユーザがタグ受けユーザに対して付与するタグ情報を受信した後に、
前記方法は、タグ受けユーザが確認を行うように、タグ付与ユーザがタグ受けユーザに対して付与するタグ情報をタグ受けユーザに送信し、
タグ受けユーザが前記タグ情報に同意するメッセージを受信したか否かを判定することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含む。
【００１６】
本技術案において、タグ付与ユーザよりタグ受けユーザに対して付与するタグ情報にタグ受けユーザが同意するかを判定し、タグ受けユーザの同意を得た時のみ、タグ情報をタグライブラリに記憶することを追加することによって、随意にタグが付与されることを効果的に防止でき、タグの安全性及び有効性を向上できる。
【００１７】
一つの実施例において、前記ソーシャル・ネットワーク中のタグ付与ユーザがタグ受けユーザに対して付与するタグ情報を受信した後に、
前記方法は、タグ受けユーザが補足を行うように、タグ付与ユーザがタグ受けユーザに対して付与するタグ情報をタグ受けユーザに送信し、
タグ受けユーザが補足した後のタグ情報を受信することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ付与ユーザとタグ受けユーザと前記補足後のタグ情報とを関連付けて記憶し、ソーシャル・ネットワーク中のユーザ関係に基づいてタグライブラリを構築することを含む。
【００１８】
本技術案において、タグ受けユーザのタグ情報に対する補足を実現でき、タグ内容を豊富にさせ、タグがより詳細かつ正確になる。
【００１９】
一つの実施例において、前記方法は、タグ付与ユーザがタグ受けユーザに対して付与するタグ情報の有効期限を取得することを更に含み、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築することを含み、
さらに、タグ情報の有効期限を超えた時、前記タグ情報の有効期限に関連するタグ付与ユーザとタグ受けユーザと前記タグ付与ユーザがタグ受けユーザに対して付与するタグ情報とをタグライブラリから削除することを含む。
【００２０】
他の態様において、本発明の実施例がユーザ検索方法を提供した。前記方法は、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信し、
前記タグライブラリ中のユーザ関係に基づいて、前記検索発起者の予め設定のランキングの連絡先、即ち前記ユーザ関係に基づいて予め設定のランキング内で前記検索発起者とユーザ関係を有する連絡先を確定し、
前記タグライブラリ中の前記連絡先がタグ付与ユーザであるタグ情報において、前記キーワードにマッチングのタグ情報を検索し、
探し出したマッチングのタグ情報をフィードバックすることを含む。
【００２１】
本発明の実施例は、タグ情報に対して検索を行うことによって連絡先をサーチする。これによって、ユーザが助けられ、予め設定のランキングの連絡先を介して要求を満たしたユーザを正確且つ迅速的に見つけることができる。見つけられたユーザは、連絡先付与のタグ情報によって見つけられるので、このように見つけられたユーザはより信頼でき、ユーザ検索の成功率を向上できた。
【００２２】
一つの実施例において、前記検索要求は、前記検索発起者によって前記タグライブラリへ送信するものであり、
前記探し出したマッチングのタグ情報をフィードバックすることは、前記マッチングのタグ情報の帰属したタグ受けユーザの情報を前記検索発起者に送信することである。
【００２３】
一つの実施例において、前記検索要求は、前記タグライブラリ中のタグ情報のタグ受けユーザを検索発起者とし、前記タグ情報から前記検索のキーワードを取得する検索要求であり、
前記探し出したマッチングのタグ情報をフィードバックすることは、前記マッチングのタグ情報を前記検索発起者及び／或は前記マッチングのタグ情報の帰属したタグ受けユーザに送信することである。
【００２４】
本発明の実施例は、ユーザのタグ情報のマッチングを行うことによって自発的且つ正確的にユーザに推薦することを実現でき、検索の過程を省略でき、ユーザの時間及び工夫を節約できる。
【００２５】
一つの実施例において、前記予め設定のランキングが前記検索発起者或はシステムによって設定される。
【００２６】
一つの実施例において、前記方法は、
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得し、
取得されたユーザ関係を、前記検索発起者及び／或は前記マッチングのタグ情報の帰属したタグ受けユーザに送信することを含む。
【００２７】
さらに他の態様において、本発明の実施例がタグライブラリ構築の装置を提供した。前記装置は、前記ソーシャル・ネットワーク中のタグ付与ユーザがタグ受けユーザに対して付与するタグ情報を受信する第一の受信モジュールと、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築するタグライブラリ構築モジュールとを備える。
【００２８】
一つの実施例において、前記タグ付与ユーザがタグ受けユーザに対して付与するタグ情報は、職業、得意スキル、趣味嗜好、尊敬する有名人、仕事状態及び個人生活状態のうちの一種又は複数種の情報を含む。
【００２９】
一つの実施例において、前記装置は更に、
タグ受けユーザから送信された、少なくとも一人のタグ付与ユーザを招いて前記タグ受けユーザに対してタグを付与するための要求を受信する第二の受信モジュールと、
前記タグ受けユーザからのタグ付与の要求を、前記少なくとも一人のタグ付与ユーザのうちの各タグ付与ユーザに送信する第一の送信モジュールとを更に備える。
【００３０】
一つの実施例において、前記タグ受けユーザから送信された、少なくとも一人のタグ付与ユーザを招いて前記タグ受けユーザに対してタグを付与するための要求には、タグ受けユーザが自身に対して付与するタグ情報を含み、前記少なくとも一人のタグ付与ユーザのうちの各タグ付与ユーザに送信した前記タグ受けユーザからのタグ付与の要求には、前記タグ受けユーザが自身に対して付与するタグ情報を含む。
【００３１】
一つの実施例において、前記装置は更に、
タグ受けユーザに対してタグが付与されることを許可するか否かを判定する第一の判定モジュールを更に備え、
前記タグライブラリ構築モジュールは、タグ受けユーザに対してタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００３２】
一つの実施例において、前記装置は更に、
タグ受けユーザが確認を行うように、タグ付与ユーザがタグ受けユーザに対して付与するタグ情報をタグ受けユーザに送信する第二の送信モジュールと、
タグ受けユーザが前記タグ情報に同意するメッセージを受信したか否かを判定する第二の判定モジュールとを更に備え、
前記タグライブラリ構築モジュールは、タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００３３】
一つの実施例において、前記装置は更に、
タグ受けユーザが補足を行うように、タグ付与ユーザがタグ受けユーザに対して付与するタグ情報をタグ受けユーザに送信する第三の送信モジュールと、
タグ受けユーザが補足した後のタグ情報を受信する第三の受信モジュールとを更に備え、
前記タグライブラリ構築モジュールは、タグ付与ユーザとタグ受けユーザと前記補足後のタグ情報とを関連付けて記憶し、ソーシャル・ネットワーク中のユーザ関係に基づいてタグライブラリを構築する。
【００３４】
一つの実施例において、前記装置は更に、
タグ付与ユーザがタグ受けユーザに対して付与するタグ情報の有効期限を取得する第一の取得モジュールを更に備え、
前記タグライブラリ構築モジュールは、タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築し、
タグ情報の有効期限を超えた時、前記タグ情報の有効期限に関連するタグ付与ユーザ、タグ受けユーザ、前記タグ付与ユーザがタグ受けユーザに対して付与するタグ情報をタグライブラリから削除する削除モジュールを更に備える。
【００３５】
他の態様において、本発明の実施例はユーザ検索装置を提供した。前記装置は、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信する第四の受信モジュールと、
前記タグライブラリ中のユーザ関係に基づいて、前記検索発起者の予め設定のランキングの連絡先、即ち前記ユーザ関係に基づいて予め設定のランキング内で前記検索発起者とユーザ関係を有する連絡先を確定する確定モジュールと、
前記タグライブラリ中の前記連絡先がタグ付与ユーザであるタグ情報において、前記キーワードにマッチングのタグ情報を検索する検索モジュールと、
探し出したマッチングのタグ情報をフィードバックするフィードバックモジュールとを備える。
【００３６】
一つの実施例において、前記検索要求は、前記検索発起者から前記タグライブラリへ送信されたものであり、前記フィードバックモジュールは、前記マッチングのタグ情報の帰属したタグ受けユーザの情報を前記検索発起者に送信する。
【００３７】
一つの実施例において、前記検索要求は、前記タグライブラリ中のタグ情報のタグ受けユーザを検索発起者とし、前記タグ情報から前記検索のキーワードを取得する検索要求であり、前記フィードバックモジュールは、前記マッチングのタグ情報を前記検索発起者及び／或は前記マッチングのタグ情報の帰属したタグ受けユーザに送信する。
【００３８】
一つの実施例において、前記予め設定のランキングが前記検索発起者或はシステムによって設定される。
【００３９】
一つの実施例において、前記装置は更に、
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得する第二の取得モジュールと、
取得されたユーザ関係を前記検索発起者及び／或は前記マッチングのタグ情報の帰属したタグ受けユーザに送信する第四の送信モジュールとを更に備える。
【００４０】
本発明の実施例のその他の特徴及びメリットは、後述の明細書において説明し、且つ、一部が、明細書から明らかになり、または本発明を実施することで了解できる。本発明の目的及びその他のメリットは、描写した明細書、請求の範囲、及び図面において特別に指定した構造によって取得し実現できる。
【００４１】
上記の説明および後述の詳細な説明は、単なる例示のみであり、本発明を限定するものではないことを理解すべきである。以下、図面及び実施例によって、本発明の実施例の技術案に対してより詳細に描写する。
【図面の簡単な説明】
【００４２】
図面は本発明の実施例をより理解するためのものであり、明細書に組み込まれて明細書の一部を構成し、明細書と共に本発明の原理の解釈に用いられ、本発明の実施例に対する限定を構成しない。
【００４３】
【図１】本発明の実施例においてタグライブラリ構築の主要方法の示例的なフローチャートである。
【図２】本発明の実施例において第一のタグ付与の詳細方法の示例的なフローチャートである。
【図３】本発明の実施例において第二のタグ付与の詳細方法の示例的なフローチャートである。
【図４】本発明の実施例において第三のタグ付与の詳細方法の示例的なフローチャートである。
【図５】本発明の実施例において第四のタグ付与の詳細方法の示例的なフローチャートである。
【図６】本発明の実施例において第五のタグ付与の詳細方法の示例的なフローチャートである。
【図７】本発明の実施例においてタグライブラリを利用したユーザの検索の主要方法の示例的なフローチャートである。
【図８】本発明の実施例において第一のユーザ検索の詳細方法の示例的なフローチャートである。
【図９】本発明の実施例において第二のユーザ検索の詳細方法の示例的なフローチャートである。
【図１０】本発明の実施例において探し出したユーザとの連絡を構築する詳細方法の示例的なフローチャートである。
【図１１】本発明の実施例においてタグライブラリ構築装置の主要構造の示例的な図である。
【図１２】本発明の実施例においてタグライブラリ構築装置の第一の詳細構造の示例的な図である。
【図１３】本発明の実施例においてタグライブラリ構築装置の第二の詳細構造の示例的な図である。
【図１４】本発明の実施例においてタグライブラリ構築装置の第三の詳細構造の示例的な図である。
【図１５】本発明の実施例においてタグライブラリ構築の装置の第四の詳細構造の示例的な図である。
【図１６】本発明の実施例においてタグライブラリ構築の装置の第五の詳細構造の示例的な図である。
【図１７】本発明の実施例においてユーザ検索装置の主要構造の示例的な図である。
【図１８】本発明の実施例においてユーザ検索装置の詳細構造の示例的な図である。
【００４４】
上記図面を通じて本発明の明確な実施例を例示し、以下にさらに詳しく記述する。このような図面と文字記述は本発明の趣旨の範囲を制限するものではなく、特定の実施例を参照することによって、本技術分野の当業者に本発明の概念を理解させるためのものである。
【発明を実施するための形態】
【００４５】
以下、図面を参照しながら、本発明の好ましい実施例を説明する。ここで、記述した好ましい実施例は、本発明の実施例を説明及び解釈するものであり、本発明の実施例を限定するものではないと理解すべきである。
【００４６】
本発明の実施例が提供したタグライブラリ構築及びユーザ検索方法は、ソーシャル・ネットワークサービスを提供するサーバ側によって実現される。図１を参照して、本発明の実施例においてタグライブラリ構築の主要方法のフローチャートは、以下のとおりである。
【００４７】
ステップＳ１０１：ソーシャル・ネットワーク中のタグ付与ユーザがタグ受けユーザに対して付与するタグ情報を受信する。
【００４８】
一つの実施例において、タグ付与ユーザがタグ受けユーザに対して付与するタグ情報は、タグ受けユーザの職業、得意スキル、趣味嗜好、尊敬する有名人、仕事状態（例えば、求職中或は求人中）、個人生活状態（例えば、独身）等のうちの一種或は複数種類の情報を含むが、これに限定しない。
【００４９】
ステップＳ１０２：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００５０】
一つの実施例において、タグ付与ユーザがタグ受けユーザに対して付与するタグ情報の有効期限を取得し、その後、タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築しても良い。タグ情報の有効期限を超えた時、前記タグ情報の有効期限に関連するタグ付与ユーザとタグ受けユーザと前記タグ付与ユーザがタグ受けユーザに対して付与するタグ情報とをタグライブラリから削除する。タグ情報の有効期限は、タグ付与ユーザによって設定して良いし、タグ受けユーザによって設定してもよい。また、システムによって設定しても良い。
【００５１】
本発明の実施例において、ソーシャル・ネットワーク中のユーザがその他のユーザに対してタグを付与し、付与したタグ及びユーザ関係に基づいてタグライブラリを構築し、該タグライブラリを用いて、タグ及びユーザ関係に基づく連絡先の検索を行うことが実現できた。タグ情報及びユーザ関係との二つの条件に基づいて検索を行うので、探し出したユーザと、検索を行うユーザとは間接連絡先の関係を有し、探し出したユーザをより信頼でき、検索の成功率を向上できた。
【００５２】
図２を参照して、本実施例において、更に、タグ受けユーザに対してタグが付与されることを許可するか否かを判定してから、タグをタグライブラリに記憶するかを決定して良い。該ステップは、他人に任意にタグが付与されることを防止できる。方法の詳細なフローチャートは、以下のとおりである。
【００５３】
ステップＳ２０１：ソーシャル・ネットワーク中のタグ付与ユーザがタグ受けユーザに対して付与するタグ情報を受信する。
【００５４】
ステップＳ２０２：タグ受けユーザに対してタグが付与されることを許可するか否かを判定する。許可の場合、ステップＳ２０３を実行し、許可しない場合、ステップＳ２０４を実行する。
【００５５】
例えば、タグ受けユーザ設定の「被タグ許可」フィールドの値を読み取ることによって、タグ受けユーザに対してタグが付与されることを許可するか否かを判定し、該フィールドの値は、「ＹＥＳ」である時、タグ受けユーザがタグが付与されることを許可したことを意味し、該フィールドの値は「ＮＯ」である時、タグ受けユーザがタグが付与されることを許可しないことを意味する。
【００５６】
ステップＳ２０３：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００５７】
ステップＳ２０４：タグが付与されることをタグ受けユーザが許可しないメッセージをタグ付与ユーザに送信する。
【００５８】
本発明の実施例は、タグ受けユーザの設定に基づいて、タグ受けユーザに対してタグ付与ユーザが付与したタグ情報を記憶するか否かを判定し、タグ受けユーザについてタグが付与されることを許可した時、タグ受けユーザに対してタグを付与する。このように、ユーザに対して随意にタグが付与されることを効果的に防止でき、タグの安全性及び有効性を向上できる。
【００５９】
本発明の実施例において、タグ受けユーザがタグ情報に同意するかを判定してタグをタグライブラリに記憶するかを確定することを追加して良い。該ステップは同様に他人から任意にタグが付与されることを防止できる。図３を参照して、方法の詳細なフローチャートは以下のとおりである。
【００６０】
ステップＳ３０１：ソーシャル・ネットワーク中のタグ付与ユーザがタグ受けユーザに対して付与するタグ情報を受信する。
【００６１】
ステップＳ３０２：タグ受けユーザが確認を行うように、タグ付与ユーザがタグ受けユーザに対して付与するタグ情報をタグ受けユーザに送信する。
【００６２】
ステップＳ３０３：タグ受けユーザが前記タグ情報に同意するメッセージを受信したか否かを判定する。「ＹＥＳ」である場合、ステップＳ３０４を実行し、「ＮＯ」である場合、ステップＳ３０５を実行する。
【００６３】
ステップＳ３０４：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００６４】
ステップＳ３０５：タグ付与ユーザより付与されたタグ情報をタグ受けユーザが拒絶したメッセージをタグ付与ユーザに送信する。
【００６５】
本発明の実施例において、タグ付与ユーザよりタグ受けユーザに対して付与するタグ情報にタグ受けユーザが同意するかを判定することを追加し、タグ受けユーザが同意した時にタグ情報をタグライブラリに記憶することによって、随意にタグが付与されることを効果的に防止でき、タグの安全性及び有効性を向上できる。
【００６６】
本発明の実施例において、タグ付与ユーザがタグ受けユーザに対してタグを付与した後、付与したタグ情報に対してタグ受けユーザが補足を行って良い。図４を参照して、方法の詳細なフローチャートは以下のとおりである。
【００６７】
ステップＳ４０１：ソーシャル・ネットワーク中のタグ付与ユーザがタグ受けユーザに対して付与するタグ情報を受信する。
【００６８】
ステップＳ４０２：タグ付与ユーザがタグ受けユーザに対して付与するタグ情報をタグ受けユーザに送信し、タグ受けユーザがタグ情報に対する補足を行う。
【００６９】
タグ受けユーザがタグ情報に対する補足を行うことは、例えば、タグ付与ユーザがタグ受けユーザに対して付与するタグ情報はソフトウェアエンジニアであり、タグ受けユーザが該タグ情報に対する補足を行った補足内容は、タグ受けユーザのできるプログラミング言語及び関連する開発経験である。これによってタグを改善し、タグ情報によってより詳細に該タグに対応のタグ受けユーザを描写することができる。
【００７０】
ステップＳ４０３：タグ受けユーザから送信された補足後のタグ情報を受信する。
【００７１】
ステップＳ４０４：タグ付与ユーザとタグ受けユーザと前記補足後のタグ情報とを関連付けて記憶し、ソーシャル・ネットワーク中のユーザ関係に基づいてタグライブラリを構築する。
【００７２】
本発明の実施例において、タグ受けユーザがタグ情報に対する補足を行うことを実現し、タグ内容を豊富にさせ、タグがより詳細且つ正確になる。
【００７３】
本発明の実施例において、タグ受けユーザがその他のユーザを招いて自身に対しタグを付与しても良い。図５を参照して、方法の詳細なフローチャートは以下のとおりである。
【００７４】
ステップＳ５０１：タグ受けユーザから送信された、少なくとも一人のタグ付与ユーザを招いて前記タグ受けユーザに対してタグを付与するための要求を受信する。
【００７５】
ステップＳ５０２：タグ受けユーザからのタグ付与の要求を、前記少なくとも一人のタグ付与ユーザのうちの各タグ付与ユーザに送信する。
【００７６】
ステップＳ５０３：タグ付与ユーザがタグ受けユーザに対して付与するタグ情報を受信する。
【００７７】
ステップＳ５０４：前記タグ情報をタグ受けユーザに送信して確認を行う。
【００７８】
ステップＳ５０５：タグ受けユーザが前記タグ情報に同意するメッセージを受信したか否かを判定する。「ＹＥＳ」である場合、ステップＳ５０６を実行し、「ＮＯ」である場合、ステップＳ５０７を実行する。
【００７９】
ステップＳ５０６：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００８０】
ステップＳ５０７：タグ付与ユーザより付与されたタグ情報をタグ受けユーザが拒絶したメッセージをタグ付与ユーザに送信する。
【００８１】
本発明の実施例は、タグ受けユーザが他人を受動的に待って他人より自身に対してタグ付与を行わず、タグ受けユーザが他人を自発的招いて他人より自身に対してタグ付与を行うことを実現することによって、タグ付与形態の柔軟性を向上すると共に、ユーザの体験を改善した。
【００８２】
本発明の実施例において、タグ受けユーザがその他のユーザを招いて、タグ受けユーザが自身に対して付与するタグ情報の確認を行ってもらうこともできる。図６を参照して、方法の詳細なフローチャートは以下のとおりである。
【００８３】
ステップＳ６０１：タグ受けユーザから送信された、少なくとも一人のタグ付与ユーザを招いて前記タグ受けユーザに対してタグを付与するための要求を受信する。該要求にはタグ受けユーザが自身に対して付与するタグ情報を含む。
【００８４】
ステップＳ６０２：前記タグ受けユーザからのタグ付与の要求を、前記少なくとも一人のタグ付与ユーザのうちの各タグ付与ユーザに送信する。該要求にはタグ受けユーザが自身に対して付与するタグ情報を含む。
【００８５】
ステップＳ６０３：タグ付与ユーザがタグ受けユーザに対して付与するタグ情報を受信する。
【００８６】
ここで、タグ付与ユーザがタグ受けユーザより自身に対して付与するタグ情報に対して修正しなかった場合、タグ受けユーザより自身に対して付与するタグ情報を、タグ付与ユーザがタグ受けユーザに対して付与するタグ情報とする。
【００８７】
ステップＳ６０４：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００８８】
本発明の実施例は、タグ受けユーザがタグ情報を提供してタグ付与ユーザによる確認を要求する技術案を実現できた。このように、タグ受けユーザが自身でもタグ情報を編集でき、タグ付与ユーザがタグ情報の確認或は修正を行えば良いので、タグ付与ユーザ及びタグ受けユーザの操作がより柔軟になり、ユーザ体験を改善した。
【００８９】
本発明の実施例は、上述タグライブラリに基づいて、タグライブラリにおいてユーザの連絡先がタグ付与ユーザであるタグ情報の検索を行って、条件を満たすユーザをサーチする。図７を参照して、方法フローチャートは、以下のとおりである。
【００９０】
ステップＳ７０１：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信する。
【００９１】
ステップＳ７０２：前記タグライブラリ中のユーザ関係に基づいて、前記検索発起者の予め設定のランキングの連絡先を確定する。前記予め設定のランキングの連絡先は、前記ユーザ関係に基づいて、予め設定のランキング内で前記検索発起者とユーザ関係を有する連絡先である。
【００９２】
例えば、ユーザＡの友人Ｂは、ユーザＡの一級連絡先であり、友人Ｂの友人Ｃは、ユーザＡの二級連絡先（この時、ユーザＣがユーザＡの一級連絡先ではない）であり、友人Ｃの友人Ｄは、ユーザＡの三級連絡先（この時、ユーザＤがユーザＡの一級、二級連絡先でもない）である。ここで、前記予め設定のランキングは、前記検索発起者によって設定しても良いし、システムによって設定しても良い。
【００９３】
ステップＳ７０３：前記タグライブラリ中の前記連絡先がタグ付与ユーザであるタグ情報において、前記キーワードにマッチングのタグ情報を検索する。
【００９４】
ステップＳ７０４：探し出したマッチングのタグ情報をフィードバックする。
【００９５】
一つの実施例において、前記タグライブラリ中のユーザ関係に基づいて、前記検索発起者、前記マッチングのタグ情報の帰属したタグ付与ユーザ、前記マッチングのタグ情報の帰属したタグ受けユーザとの間のユーザ関係を取得し、そのユーザ関係を前記検索発起者及び／或は前記マッチングのタグ情報の帰属したタグ受けユーザに送信する。例えば、ユーザＡが、ユーザＡの一級連絡先であるユーザＢより付与されたタグを検索することによって、ユーザＡの二級連絡先のユーザＣを探し出した場合、ユーザＡがユーザＢを介してタグ受けユーザＣを探し出したことは、それらの間のユーザ関係である。
【００９６】
本発明の実施例は、タグライブラリ中のタグ情報の検索を行うことによって連絡先をサーチする。これによって、ユーザが予め設定のランキングの連絡先を介して要求を満たしたユーザを正確且つ迅速的に見つけることができることに寄与する。見つけられたユーザは、連絡先付与のタグ情報によって見つけられたので、このように見つけられたユーザは、より信頼でき、ユーザ検索の成功率を向上できた。
【００９７】
以下、二つの実施例を用いてユーザ検索方法を説明する。図８を参照して、第一のユーザ検索方法の詳細なフローチャートは以下のとおりである。
【００９８】
ステップＳ８０１：ユーザＡが送信した、「美術関係のスタッフ」を検索する要求からキーワード「美術関係のスタッフ」を取得する。
【００９９】
ステップＳ８０２：タグライブラリ中のユーザ関係に基づいて、ユーザＡの予め設定のランキングの連絡先を確定する。
【０１００】
ステップＳ８０３：前記タグライブラリ中の前記連絡先がタグ付与ユーザであるタグ情報において、キーワード「美術関係のスタッフ」にマッチングのタグ情報を検索する。
【０１０１】
ステップＳ８０４：マッチングのタグ情報の帰属したタグ受けユーザＣの情報をユーザＡに送信する。
【０１０２】
例えば、ユーザＢは、ユーザＡの一級連絡先であり、ユーザＢが自身の友人であるユーザＣに対して付与するタグ情報は、美術関係のスタッフである。ユーザＡは、一人の美術関係のスタッフを探しているが、ユーザＣを知っていない。ユーザＡは、該検索によって、ユーザＢの付与したタグが「美術関係のスタッフ」であるユーザＣを見つけることができる。これで分かるように、該技術案は、ユーザＡのサーチ範囲を拡大することができ、ユーザＡとユーザＣは共同の友人であるユーザＢを有するので、見つけられた人は、より信頼できる。本発明の実施例は、ユーザの検索要求に基づいてユーザの間接連絡先からユーザを検索することができる。
【０１０３】
図９を参照して、第二のユーザ検索方法の詳細なフローチャートは以下のとおりである。
【０１０４】
ステップＳ９０１：タグライブラリ中のユーザＡをタグ受けユーザとするタグ情報からキーワード「ソフトウェアエンジニアのサーチ」を取得する。
【０１０５】
ステップＳ９０２：前記タグライブラリ中のユーザ関係に基づいてユーザＡの予め設定のランキングの連絡先を確定する。
【０１０６】
ステップＳ９０３：前記タグライブラリ中の前記連絡先がタグ付与ユーザであるタグ情報において、キーワード「ソフトウェアエンジニアのサーチ」にマッチングのタグを検索する。
【０１０７】
ここで、キーワード「ソフトウェアエンジニアのサーチ」にマッチングのタグは、例えば「私はソフトウェアエンジニアです」、「ソフトウェア工程従事」、「ソフトウェアエンジニア」、「ＩＴ労働者」等である。
【０１０８】
ステップＳ９０４：マッチングのタグ情報の帰属したタグ受けユーザＣの情報をユーザＡに送信し、ユーザＡの情報を前記タグ受けユーザＣに送信する。
【０１０９】
本発明のその他の実施例において、ステップＳ９０４は、マッチングのタグ情報の帰属したタグ受けユーザＣの情報のみをユーザＡに送信、或はユーザＡの情報のみを前記タグ受けユーザＣに送信しても良い。
【０１１０】
本発明の実施例は、ユーザのタグ情報のマッチングを行うことによって、ユーザへの推薦を自発的且つ正確的に行うことができ、検索の過程を省略でき、ユーザの時間及び工夫を節約できた。予め設定の時間間隔で定期的に本方法を実行することで、マッチングの効率を向上させることができる。
【０１１１】
本発明の実施例において、ユーザのプライバシーを保護するために、マッチングのタグ情報の帰属したタグ受けユーザを探し出した後、検索発起者及びマッチングのタグ情報の帰属したタグ受けユーザが、直接的に連絡できず、ユーザ関係における連絡先によって連絡を構築する。図１０を参照して、方法の詳細なフローチャートは以下のとおりである。
【０１１２】
ステップＳ１００１：タグライブラリ中のユーザＡをタグ受けユーザとするタグ情報から、キーワード「ソフトウェアエンジニアのサーチ」を取得する。
【０１１３】
ステップＳ１００２：前記タグライブラリ中のユーザ関係に基づいてユーザＡの予め設定のランキングの連絡先を確定する。
【０１１４】
ステップＳ１００３：前記タグライブラリ中の前記連絡先がタグ付与ユーザであるタグ情報において、キーワード「ソフトウェアエンジニアのサーチ」にマッチングのタグ情報を検索する。
【０１１５】
ステップＳ１００４：マッチングのタグ情報の帰属したタグ受けユーザＣの情報及びユーザＣとユーザＡとのユーザ関係をユーザＡに送信する。
【０１１６】
該ステップにおいて、ユーザＣとユーザＡとのユーザ関係をユーザＣに送信しても良い。これによって、ユーザＣは、即時に自身のタグ情報がその他のどのユーザのタグ情報にマッチングするのを知ることができる。
【０１１７】
ステップＳ１００５：ユーザＡがユーザ関係におけるユーザＢへ送信した、ユーザＣを連絡先として追加する要求を受信する。
【０１１８】
ステップＳ１００６：前記要求をユーザＢに送信する。
【０１１９】
ステップＳ１００７：ユーザＡがユーザＣを連絡先として追加することにユーザＢが同意するメッセージを受信したか否かを判定する。「ＹＥＳ」である場合、ステップ１００８を実行し、「ＮＯ」である場合、ステップ１０１１を実行する。
【０１２０】
ステップＳ１００８：ユーザＡがユーザＢを介してユーザＣを連絡先として追加することを要求するメッセージをユーザＣに送信する。
【０１２１】
ステップＳ１００９：ユーザＡがユーザＣを連絡先として追加することにユーザＣが同意するメッセージを受信したかを判定する。「ＹＥＳ」である場合、ステップ１０１０を実行し、「ＮＯ」である場合、ステップ１０１１を実行する。
【０１２２】
ステップＳ１０１０：ユーザＣ及びユーザＡを互いに連絡先として設定する。
【０１２３】
ステップＳ１０１１：要求が拒絶されたメッセージをユーザＡに送信する。
【０１２４】
本発明の実施例において、ユーザＡがユーザ関係における連絡先を介さなければユーザＣとのユーザ関係を構築できないため、間接連絡先のプライバシーが、漏れない或は邪魔されないことを保証できた。
【０１２５】
本発明の実施例は、更にタグライブラリ構築の装置を提供した。図１１を参照して、前記装置は、前記ソーシャル・ネットワーク中のタグ付与ユーザがタグ受けユーザに対して付与するタグ情報を受信する第一の受信モジュール１１０１と、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築するタグライブラリ構築モジュール１１０２とを備える。
【０１２６】
一つの実施例において、前記タグ付与ユーザがタグ受けユーザに対して付与するタグ情報は、職業、得意スキル、趣味嗜好、尊敬する有名人、仕事状態及び個人生活状態のうちの一種又は複数種の情報を含む。
【０１２７】
図１２を参照して、前記装置は更に、
タグ受けユーザから送信された、少なくとも一人のタグ付与ユーザを招いて前記タグ受けユーザに対してタグを付与するための要求を受信する第二の受信モジュール１１０３と、
前記タグ受けユーザからのタグ付与の要求を、前記少なくとも一人のタグ付与ユーザのうちの各タグ付与ユーザに送信する第一の送信モジュール１１０４とを備える。
【０１２８】
一つの実施例において、前記タグ受けユーザから送信された、少なくとも一人のタグ付与ユーザを招いて前記タグ受けユーザに対してタグを付与するための要求には、タグ受けユーザが自身に対して付与するタグ情報を含む。
【０１２９】
前記少なくとも一人のタグ付与ユーザのうちの各タグ付与ユーザに送信した、前記タグ受けユーザからのタグ付与の要求には、前記タグ受けユーザが自身に対して付与するタグ情報を含む。
【０１３０】
図１３を参照して、一つの実施例において、前記装置は更に、
タグ受けユーザに対してタグが付与されることを許可するか否かを判定する第一の判定モジュール１１０５を備え、
前記タグライブラリ構築モジュール１１０２は、タグ受けユーザはタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【０１３１】
図１４を参照して、一つの実施例において、前記装置は更に、
タグ受けユーザが確認を行うように、タグ付与ユーザがタグ受けユーザに対して付与するタグ情報をタグ受けユーザに送信する第二の送信モジュール１１０６と、
タグ受けユーザが前記タグ情報に同意するメッセージを受信したか否かを判定する第二の判定モジュール１１０７とを備え、
前記タグライブラリ構築モジュール１１０２は、
タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【０１３２】
図１５を参照して、一つの実施例において、前記装置は更に、
タグ受けユーザが補足を行うように、タグ付与ユーザがタグ受けユーザに対して付与するタグ情報をタグ受けユーザに送信する第三の送信モジュール１１０８と、
タグ受けユーザが補足した後のタグ情報を受信する第三の受信モジュール１１０９とを備え、
前記タグライブラリ構築モジュール１１０２は、
タグ付与ユーザとタグ受けユーザと前記補足後のタグ情報とを関連付けて記憶し、ソーシャル・ネットワーク中のユーザ関係に基づいてタグライブラリを構築する。
【０１３３】
図１６を参照して、一つの実施例において、前記装置は更に、
タグ付与ユーザがタグ受けユーザに対して付与するタグ情報の有効期限を取得する第一の取得モジュール１１１０と、
タグ情報の有効期限を超えた時、前記タグ情報の有効期限に関連するタグ付与ユーザとタグ受けユーザと前記タグ付与ユーザがタグ受けユーザに対して付与するタグ情報とをタグライブラリから削除する削除モジュール１１１１とを備え、
前記タグライブラリ構築モジュール１１０２は、
タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築する。
【０１３４】
本発明の実施例はユーザ検索装置を提供した。図１７を参照して、前記装置は、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信する第四の受信モジュール１７０１と、
前記タグライブラリ中のユーザ関係に基づいて、前記検索発起者の予め設定のランキングの連絡先、即ち前記ユーザ関係に基づいて、予め設定のランキング内で前記検索発起者とユーザ関係を有する連絡先を確定する確定モジュール１７０２と、
前記タグライブラリ中の前記連絡先がタグ付与ユーザであるタグ情報において、前記キーワードにマッチングのタグ情報を検索する検索モジュール１７０３と、
探し出したマッチングのタグ情報をフィードバックするフィードバックモジュール１７０４とを備える。
【０１３５】
一つの実施例において、前記検索要求は、前記検索発起者から前記タグライブラリへ送信されたものであり、前記フィードバックモジュールは、前記マッチングのタグ情報の帰属したタグ受けユーザの情報を前記検索発起者に送信する。
【０１３６】
一つの実施例において、前記検索要求は、前記タグライブラリ中のタグ情報のタグ受けユーザを検索発起者とし、前記タグ情報から前記検索のキーワードを取得する検索要求であり、前記フィードバックモジュールは、前記マッチングのタグ情報を前記検索発起者及び／或は前記マッチングのタグ情報の帰属したタグ受けユーザに送信する。
【０１３７】
一つの実施例において、前記予め設定のランキングが前記検索発起者或はシステムによって設定される。
【０１３８】
図１８を参照して、一つの実施例において、前記装置は更に、
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得する第二の取得モジュール１７０５と、
取得されたユーザ関係を前記検索発起者及び／或は前記マッチングのタグ情報の帰属したタグ受けユーザに送信する第四の送信モジュール１７０６とを備える。
【０１３９】
本技術分野の当業者は、本発明の実施例が方法、システム或はコンピュータープログラム製品の形で提供できることを理解すべきである。従って、本発明は、完全にハードウェアによる実施例、完全にソフトウェアによる実施例、或いはソフトウェアとハードウェアの組み合わせによる実施例の形態を使用することができる。本発明は、コンピューターが使用可能なプログラムコードを含む、コンピューターが使用可能な一つ或は複数の記録媒体（磁気ディスクメモリ、ＣＤ−ＲＯＭ、光学メモリなどを含むが、これに限定されない）で実施するコンピュータープログラム製品の形を使用することができる。
【０１４０】
本発明の実施例にかかる方法、デバイス（システム）、及びコンピュータープログラム製品のフローチャート、及び／又はブロック図を参照して本発明を記述した。コンピュータープログラムコマンドでフローチャート及び／又はブロック図のうちの各処理及び／又はブロック、フローチャート及び／又はブロック図のうちの処理及び／又はブロックの組み合わせを実現することができる、ということを理解すべきである。このようなコンピュータープログラム指令を汎用コンピューター、専用コンピューター、組込みプロセッサ、或いはその他のプログラミングデータ処理装置のプロセッサに供給して一つの機器を実現することができ、このようにして、コンピューター或いはその他のプログラミングデータ処理装置のプロセッサで実行する指令によって、フローチャートの一つ或いは複数の処理、及び／又は、ブロック図の一つ或いは複数のブロックで指定した機能を実現するための装置を提供することができる。
【０１４１】
このようなコンピュータープログラムコマンドは、コンピューター、或いはその他のプログラミングデータ処理装置が特定の方式で動作するように案内する、コンピューターが読み取り可能なメモリに記憶され、当該コンピューターが読み取り可能なメモリに記憶されているコマンドによって、コマンド装置を含む製品を生成するようにしてもよい。当該コマンド装置は、フローチャートの一つ或いは複数の処理、及び／又は、ブロック図の一つ或いは複数のブロックで指定した機能を実現する。
【０１４２】
このようなコンピュータープログラムコマンドは、コンピューター、或いはその他のプログラミングデータ処理装置にインストールされ、コンピューター、或いはその他のプログラミングデバイスで一連の操作ステップを実行して、コンピューターによる処理を実現してもよい。これによって、コンピューター、或いはその他のプログラミングデバイスで実行するコマンドを通じて、フローチャートの一つ或いは複数の処理、及び／又は、ブロック図の一つ或いは複数のブロックで指定した機能を実現するためのステップを提供する。
【０１４３】
本発明の好ましい実施例を説明したが、当業者は、基本的な創造性の概念を知った上で、これらの実施例に対してその他の変更や修正等を行うことができる。従って、本発明の請求の範囲は、好ましい実施例及び本発明の保護範囲に属する全ての変更及び修正を含むことを理解すべきである。
【０１４４】
もちろん、当該技術分野の当業者は、本発明の趣旨と範囲を離脱しない範囲で本発明に対していろいろな変更と変形を行うことができる。このように、本発明のこのような変更と変形が本発明の特許請求の範囲、及びその均等な技術の範囲に属する場合、本発明はこのような変更と変形を含むことを意図する。
【０１４５】
本願は、出願番号がＣＮ２０１３１０３３４３３５．２であり、出願日が２０１３年８月２日である中国特許出願に基づく優先権を主張する。ここで、該中国特許出願の全ての内容は、参照することで本願に組み込まれる。
【図１】
2015537308.tif 000003
【図２】
2015537308.tif 000004
【図３】
2015537308.tif 000005
【図４】
2015537308.tif 000006
【図５】
2015537308.tif 000007
【図６】
2015537308.tif 000008
【図７】
2015537308.tif 000009
【図８】
2015537308.tif 000010
【図９】
2015537308.tif 000011
【図１０】
2015537308.tif 000012
【図１１】
2015537308.tif 000013
【図１２】
2015537308.tif 000014
【図１３】
2015537308.tif 000015
【図１４】
2015537308.tif 000016
【図１５】
2015537308.tif 000017
【図１６】
2015537308.tif 000018
【図１７】
2015537308.tif 000019
【図１８】
2015537308.tif 000020
【手続補正書】
【提出日】平成27年5月25日(2015.5.25)
【手続補正１】
【補正対象書類名】明細書
【補正対象項目名】全文
【補正方法】変更
【補正の内容】
【発明の詳細な説明】
【技術分野】
【０００１】
本発明はコンピュータ及び通信技術分野に関する。より具体的に言えば、タグライブラリ（Ｔａｇ  Ｌｉｂｒａｒｙ）構築方法、ユーザ検索方法及びその装置、プログラム及び記録媒体に関する。
【背景技術】
【０００２】
インターネット技術の発展によって、ユーザは現代のコンピュータ情報技術から高水準、全方位のサービスを享受することができる。インターネットの発展によって生まれ出たソーシャル・ネットワーク（Ｓｏｃｉａｌ  Ｎｅｔｗｏｒｋ  Ｓｅｒｖｉｃｅ、ＳＮＳ）は、インターネットが現実世界へより接近するように促進する重要な力になり、インターネットが研究部門、学校、政府、ビジネスのためのアプリケーションプラットフォームから一般の人々の交流ニーズを満たす社会交流のツールへと拡張し、伝統的な社会的交際に置き換わった。ソーシャル・ネットワークは、「低コスト置換」の原則を遵奉することによって、人々の社会的交際の時間及び物質のコストを効果的に低下させ、言い換えれば情報の管理及び伝達のコストを低下させた。人々は、ソーシャル・ネットワークを利用して距離が千里以上の遠いところの友達と互いにメールを送信したり、一つの仕事を共同で行ったり、娯楽を共同で楽しんだりすることができる。また、ユーザを検索してそのユーザを連絡先に追加することもできることによって、新たな友人を作り、自分自身の人脈及び交際範囲を拡大することもできる。
【０００３】
現在、ソーシャル・ネットワークにおいて、ユーザが一定の条件に従って連絡先を検索する時、一般的にユーザの直接連絡先の中から検索或は全サイトでの検索を行うことになっている。
【０００４】
しかしながら、上述したユーザ間の連絡関係は、直接の連絡先の間のみに限られ、即ちユーザが自身の連絡先アドレスブックにおける連絡先のみとしか相互連結できない。ユーザがある条件を満たしたユーザを探したい時、ユーザの直接連絡先の中から或は全体のソーシャル・ネットワークのみから検索しなければならない。しかし、このようなユーザ情報取得方法は、ある程度の不確定性を有するため、ユーザがそのニーズを満足できるユーザを検索し得る効率及び正確性が低い。
【発明の概要】
【０００５】
本発明の実施例は、上記の問題を鑑みて、ソーシャル・ネットワーク中のユーザがその他のユーザに対してタグを付与し、付与したタグ及びユーザ関係を記憶し、ユーザがその他のユーザに対して付与するタグ及びユーザ関係を記憶することによってタグライブラリを構築し、該タグライブラリを用いてタグ及びユーザ関係に基づく連絡先の検索を実現できるタグライブラリ構築方法、ユーザ検索方法及びその装置、プログラム及び記録媒体を提供することを目的とする。
【０００６】
一の態様において、本発明の実施例がタグライブラリ構築方法を提供した。前記方法は、
ソーシャル・ネットワーク中のタグ付与ユーザがタグ受けユーザに対して付与するタグ情報を受信し、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含む。
【０００７】
本実施例は、ソーシャル・ネットワーク中のユーザがその他のユーザに対してタグを付与し、且つ付与したタグ情報及びユーザ関係を記憶し、ユーザがその他のユーザに対して付与するタグ及びユーザ関係を記憶することによってタグライブラリを取得し、該タグライブラリを用いてタグ及びユーザ関係に基づく連絡先の検索を行うことが実現できる。タグ情報、ユーザ関係との二つの条件に基づいて検索を行うので、探し出したユーザが検索を実行するユーザと間接連絡先の関係を有し、探し出したユーザがより信頼でき、検索の成功率を向上できる。
【０００８】
一つの実施例において、タグ付与ユーザがタグ受けユーザに対して付与するタグ情報は、職業、得意スキル、趣味嗜好、尊敬する有名人、仕事状態及び個人生活状態のうちの一種又は複数種の情報を含む。
【０００９】
一つの実施例において、前記ソーシャル・ネットワーク中のタグ付与ユーザがタグ受けユーザに対して付与するタグ情報を受信する前に、
前記方法は、タグ受けユーザから送信された、少なくとも一人のタグ付与ユーザを招いて前記タグ受けユーザに対してタグを付与するための要求を受信し、
前記タグ受けユーザからのタグ付与の要求を、前記少なくとも一人のタグ付与ユーザのうちの各タグ付与ユーザに送信することを更に含む。
【００１０】
本実施例は、タグ受けユーザが他人を受動的に待って自身に対してタグを付与してもらわず、タグ受けユーザによって他人を自発的に招いて自身に対してタグを付与してもらうことを実現することよってタグ形態の柔軟性を向上し、ユーザ体験を改善した。
【００１１】
一つの実施例において、前記タグ受けユーザから送信された、少なくとも一人のタグ付与ユーザを招いて前記タグ受けユーザに対してタグを付与するための要求には、タグ受けユーザが自身に対して付与するタグ情報を含み、
前記少なくとも一人のタグ付与ユーザのうちの各タグ付与ユーザに送信した前記タグ受けユーザからのタグ付与の要求には、前記タグ受けユーザが自身に対して付与するタグ情報を含む。
【００１２】
本実施例は、タグ受けユーザがタグ情報を提供し、タグ付与ユーザの確認を要求する技術案を実現できた。このように、タグ受けユーザが自身でもタグ情報を編集でき、タグ付与ユーザがそのタグ情報を確認或は修正すれば良いので、タグ付与ユーザ及びタグ受けユーザの操作がより柔軟になり、ユーザ体験を改善した。
【００１３】
一つの実施例において、前記ソーシャル・ネットワーク中のタグ付与ユーザがタグ受けユーザに対して付与するタグ情報を受信した後に、
前記方法は、タグ受けユーザに対してタグが付与されることを許可するか否かを判定することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、タグ受けユーザに対してタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含む。
【００１４】
本技術案において、タグ受けユーザの設定に基づいて、タグ付与ユーザがタグ受けユーザに対して付与するタグ情報を記憶するか否かを判定し、タグ受けユーザに対してタグが付与されることを許可した場合のみ、タグ受けユーザに対してタグを付与する。これによって、ユーザに対して随意にタグが付与されることを効果的に防止でき、タグの安全性及び有効性を向上できた。
【００１５】
一つの実施例において、前記ソーシャル・ネットワーク中のタグ付与ユーザがタグ受けユーザに対して付与するタグ情報を受信した後に、
前記方法は、タグ受けユーザが確認を行うように、タグ付与ユーザがタグ受けユーザに対して付与するタグ情報をタグ受けユーザに送信し、
タグ受けユーザが前記タグ情報に同意するメッセージを受信したか否かを判定することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含む。
【００１６】
本技術案において、タグ付与ユーザよりタグ受けユーザに対して付与するタグ情報にタグ受けユーザが同意するかを判定し、タグ受けユーザの同意を得た時のみ、タグ情報をタグライブラリに記憶することを追加することによって、随意にタグが付与されることを効果的に防止でき、タグの安全性及び有効性を向上できる。
【００１７】
一つの実施例において、前記ソーシャル・ネットワーク中のタグ付与ユーザがタグ受けユーザに対して付与するタグ情報を受信した後に、
前記方法は、タグ受けユーザが補足を行うように、タグ付与ユーザがタグ受けユーザに対して付与するタグ情報をタグ受けユーザに送信し、
タグ受けユーザが補足した後のタグ情報を受信することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ付与ユーザとタグ受けユーザと前記補足後のタグ情報とを関連付けて記憶し、ソーシャル・ネットワーク中のユーザ関係に基づいてタグライブラリを構築することを含む。
【００１８】
本技術案において、タグ受けユーザのタグ情報に対する補足を実現でき、タグ内容を豊富にさせ、タグがより詳細かつ正確になる。
【００１９】
一つの実施例において、前記方法は、タグ付与ユーザがタグ受けユーザに対して付与するタグ情報の有効期限を取得することを更に含み、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築することを含み、
さらに、タグ情報の有効期限を超えた時、前記タグ情報の有効期限に関連するタグ付与ユーザとタグ受けユーザと前記タグ付与ユーザがタグ受けユーザに対して付与するタグ情報とをタグライブラリから削除することを含む。
【００２０】
他の態様において、本発明の実施例がユーザ検索方法を提供した。前記方法は、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信し、
前記タグライブラリ中のユーザ関係に基づいて、前記検索発起者の予め設定のランキングの連絡先、即ち前記ユーザ関係に基づいて予め設定のランキング内で前記検索発起者とユーザ関係を有する連絡先を確定し、
前記タグライブラリ中の前記連絡先がタグ付与ユーザであるタグ情報において、前記キーワードにマッチングのタグ情報を検索し、
探し出したマッチングのタグ情報をフィードバックすることを含む。
【００２１】
本発明の実施例は、タグ情報に対して検索を行うことによって連絡先をサーチする。これによって、ユーザが助けられ、予め設定のランキングの連絡先を介して要求を満たしたユーザを正確且つ迅速的に見つけることができる。見つけられたユーザは、連絡先付与のタグ情報によって見つけられるので、このように見つけられたユーザはより信頼でき、ユーザ検索の成功率を向上できた。
【００２２】
一つの実施例において、前記検索要求は、前記検索発起者によって前記タグライブラリへ送信するものであり、
前記探し出したマッチングのタグ情報をフィードバックすることは、前記マッチングのタグ情報の帰属したタグ受けユーザの情報を前記検索発起者に送信することである。
【００２３】
一つの実施例において、前記検索要求は、前記タグライブラリ中のタグ情報のタグ受けユーザを検索発起者とし、前記タグ情報から前記検索のキーワードを取得する検索要求であり、
前記探し出したマッチングのタグ情報をフィードバックすることは、前記マッチングのタグ情報を前記検索発起者及び／或は前記マッチングのタグ情報の帰属したタグ受けユーザに送信することである。
【００２４】
本発明の実施例は、ユーザのタグ情報のマッチングを行うことによって自発的且つ正確的にユーザに推薦することを実現でき、検索の過程を省略でき、ユーザの時間及び工夫を節約できる。
【００２５】
一つの実施例において、前記予め設定のランキングが前記検索発起者或はシステムによって設定される。
【００２６】
一つの実施例において、前記方法は、
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得し、
取得されたユーザ関係を、前記検索発起者及び／或は前記マッチングのタグ情報の帰属したタグ受けユーザに送信することを含む。
【００２７】
さらに他の態様において、本発明の実施例がタグライブラリ構築の装置を提供した。前記装置は、前記ソーシャル・ネットワーク中のタグ付与ユーザがタグ受けユーザに対して付与するタグ情報を受信する第一の受信モジュールと、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築するタグライブラリ構築モジュールとを備える。
【００２８】
一つの実施例において、前記タグ付与ユーザがタグ受けユーザに対して付与するタグ情報は、職業、得意スキル、趣味嗜好、尊敬する有名人、仕事状態及び個人生活状態のうちの一種又は複数種の情報を含む。
【００２９】
一つの実施例において、前記装置は更に、
タグ受けユーザから送信された、少なくとも一人のタグ付与ユーザを招いて前記タグ受けユーザに対してタグを付与するための要求を受信する第二の受信モジュールと、
前記タグ受けユーザからのタグ付与の要求を、前記少なくとも一人のタグ付与ユーザのうちの各タグ付与ユーザに送信する第一の送信モジュールとを更に備える。
【００３０】
一つの実施例において、前記タグ受けユーザから送信された、少なくとも一人のタグ付与ユーザを招いて前記タグ受けユーザに対してタグを付与するための要求には、タグ受けユーザが自身に対して付与するタグ情報を含み、前記少なくとも一人のタグ付与ユーザのうちの各タグ付与ユーザに送信した前記タグ受けユーザからのタグ付与の要求には、前記タグ受けユーザが自身に対して付与するタグ情報を含む。
【００３１】
一つの実施例において、前記装置は更に、
タグ受けユーザに対してタグが付与されることを許可するか否かを判定する第一の判定モジュールを更に備え、
前記タグライブラリ構築モジュールは、タグ受けユーザに対してタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００３２】
一つの実施例において、前記装置は更に、
タグ受けユーザが確認を行うように、タグ付与ユーザがタグ受けユーザに対して付与するタグ情報をタグ受けユーザに送信する第二の送信モジュールと、
タグ受けユーザが前記タグ情報に同意するメッセージを受信したか否かを判定する第二の判定モジュールとを更に備え、
前記タグライブラリ構築モジュールは、タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００３３】
一つの実施例において、前記装置は更に、
タグ受けユーザが補足を行うように、タグ付与ユーザがタグ受けユーザに対して付与するタグ情報をタグ受けユーザに送信する第三の送信モジュールと、
タグ受けユーザが補足した後のタグ情報を受信する第三の受信モジュールとを更に備え、
前記タグライブラリ構築モジュールは、タグ付与ユーザとタグ受けユーザと前記補足後のタグ情報とを関連付けて記憶し、ソーシャル・ネットワーク中のユーザ関係に基づいてタグライブラリを構築する。
【００３４】
一つの実施例において、前記装置は更に、
タグ付与ユーザがタグ受けユーザに対して付与するタグ情報の有効期限を取得する第一の取得モジュールを更に備え、
前記タグライブラリ構築モジュールは、タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築し、
タグ情報の有効期限を超えた時、前記タグ情報の有効期限に関連するタグ付与ユーザ、タグ受けユーザ、前記タグ付与ユーザがタグ受けユーザに対して付与するタグ情報をタグライブラリから削除する削除モジュールを更に備える。
【００３５】
他の態様において、本発明の実施例はユーザ検索装置を提供した。前記装置は、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信する第四の受信モジュールと、
前記タグライブラリ中のユーザ関係に基づいて、前記検索発起者の予め設定のランキングの連絡先、即ち前記ユーザ関係に基づいて予め設定のランキング内で前記検索発起者とユーザ関係を有する連絡先を確定する確定モジュールと、
前記タグライブラリ中の前記連絡先がタグ付与ユーザであるタグ情報において、前記キーワードにマッチングのタグ情報を検索する検索モジュールと、
探し出したマッチングのタグ情報をフィードバックするフィードバックモジュールとを備える。
【００３６】
一つの実施例において、前記検索要求は、前記検索発起者から前記タグライブラリへ送信されたものであり、前記フィードバックモジュールは、前記マッチングのタグ情報の帰属したタグ受けユーザの情報を前記検索発起者に送信する。
【００３７】
一つの実施例において、前記検索要求は、前記タグライブラリ中のタグ情報のタグ受けユーザを検索発起者とし、前記タグ情報から前記検索のキーワードを取得する検索要求であり、前記フィードバックモジュールは、前記マッチングのタグ情報を前記検索発起者及び／或は前記マッチングのタグ情報の帰属したタグ受けユーザに送信する。
【００３８】
一つの実施例において、前記予め設定のランキングが前記検索発起者或はシステムによって設定される。
【００３９】
一つの実施例において、前記装置は更に、
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得する第二の取得モジュールと、
取得されたユーザ関係を前記検索発起者及び／或は前記マッチングのタグ情報の帰属したタグ受けユーザに送信する第四の送信モジュールとを更に備える。
【００４０】
本発明のその他の態様は、
プロセッサに実行されることにより、前記方法を実現することを特徴とするプログラムを提供する。
【００４１】
本発明のその他の態様は、
前記プログラムが記録された記録媒体を提供する。
【００４２】
本発明の実施例のその他の特徴及びメリットは、後述の明細書において説明し、且つ、一部が、明細書から明らかになり、または本発明を実施することで了解できる。本発明の目的及びその他のメリットは、描写した明細書、請求の範囲、及び図面において特別に指定した構造によって取得し実現できる。
【００４３】
上記の説明および後述の詳細な説明は、単なる例示のみであり、本発明を限定するものではないことを理解すべきである。以下、図面及び実施例によって、本発明の実施例の技術案に対してより詳細に描写する。
【図面の簡単な説明】
【００４４】
図面は本発明の実施例をより理解するためのものであり、明細書に組み込まれて明細書の一部を構成し、明細書と共に本発明の原理の解釈に用いられ、本発明の実施例に対する限定を構成しない。
【００４５】
【図１】本発明の実施例においてタグライブラリ構築の主要方法の示例的なフローチャートである。
【図２】本発明の実施例において第一のタグ付与の詳細方法の示例的なフローチャートである。
【図３】本発明の実施例において第二のタグ付与の詳細方法の示例的なフローチャートである。
【図４】本発明の実施例において第三のタグ付与の詳細方法の示例的なフローチャートである。
【図５】本発明の実施例において第四のタグ付与の詳細方法の示例的なフローチャートである。
【図６】本発明の実施例において第五のタグ付与の詳細方法の示例的なフローチャートである。
【図７】本発明の実施例においてタグライブラリを利用したユーザの検索の主要方法の示例的なフローチャートである。
【図８】本発明の実施例において第一のユーザ検索の詳細方法の示例的なフローチャートである。
【図９】本発明の実施例において第二のユーザ検索の詳細方法の示例的なフローチャートである。
【図１０】本発明の実施例において探し出したユーザとの連絡を構築する詳細方法の示例的なフローチャートである。
【図１１】本発明の実施例においてタグライブラリ構築装置の主要構造の示例的な図である。
【図１２】本発明の実施例においてタグライブラリ構築装置の第一の詳細構造の示例的な図である。
【図１３】本発明の実施例においてタグライブラリ構築装置の第二の詳細構造の示例的な図である。
【図１４】本発明の実施例においてタグライブラリ構築装置の第三の詳細構造の示例的な図である。
【図１５】本発明の実施例においてタグライブラリ構築の装置の第四の詳細構造の示例的な図である。
【図１６】本発明の実施例においてタグライブラリ構築の装置の第五の詳細構造の示例的な図である。
【図１７】本発明の実施例においてユーザ検索装置の主要構造の示例的な図である。
【図１８】本発明の実施例においてユーザ検索装置の詳細構造の示例的な図である。
【００４６】
上記図面を通じて本発明の明確な実施例を例示し、以下にさらに詳しく記述する。このような図面と文字記述は本発明の趣旨の範囲を制限するものではなく、特定の実施例を参照することによって、本技術分野の当業者に本発明の概念を理解させるためのものである。
【発明を実施するための形態】
【００４７】
以下、図面を参照しながら、本発明の好ましい実施例を説明する。ここで、記述した好ましい実施例は、本発明の実施例を説明及び解釈するものであり、本発明の実施例を限定するものではないと理解すべきである。
【００４８】
本発明の実施例が提供したタグライブラリ構築及びユーザ検索方法は、ソーシャル・ネットワークサービスを提供するサーバ側によって実現される。図１を参照して、本発明の実施例においてタグライブラリ構築の主要方法のフローチャートは、以下のとおりである。
【００４９】
ステップＳ１０１：ソーシャル・ネットワーク中のタグ付与ユーザがタグ受けユーザに対して付与するタグ情報を受信する。
【００５０】
一つの実施例において、タグ付与ユーザがタグ受けユーザに対して付与するタグ情報は、タグ受けユーザの職業、得意スキル、趣味嗜好、尊敬する有名人、仕事状態（例えば、求職中或は求人中）、個人生活状態（例えば、独身）等のうちの一種或は複数種類の情報を含むが、これに限定しない。
【００５１】
ステップＳ１０２：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００５２】
一つの実施例において、タグ付与ユーザがタグ受けユーザに対して付与するタグ情報の有効期限を取得し、その後、タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築しても良い。タグ情報の有効期限を超えた時、前記タグ情報の有効期限に関連するタグ付与ユーザとタグ受けユーザと前記タグ付与ユーザがタグ受けユーザに対して付与するタグ情報とをタグライブラリから削除する。タグ情報の有効期限は、タグ付与ユーザによって設定して良いし、タグ受けユーザによって設定してもよい。また、システムによって設定しても良い。
【００５３】
本発明の実施例において、ソーシャル・ネットワーク中のユーザがその他のユーザに対してタグを付与し、付与したタグ及びユーザ関係に基づいてタグライブラリを構築し、該タグライブラリを用いて、タグ及びユーザ関係に基づく連絡先の検索を行うことが実現できた。タグ情報及びユーザ関係との二つの条件に基づいて検索を行うので、探し出したユーザと、検索を行うユーザとは間接連絡先の関係を有し、探し出したユーザをより信頼でき、検索の成功率を向上できた。
【００５４】
図２を参照して、本実施例において、更に、タグ受けユーザに対してタグが付与されることを許可するか否かを判定してから、タグをタグライブラリに記憶するかを決定して良い。該ステップは、他人に任意にタグが付与されることを防止できる。方法の詳細なフローチャートは、以下のとおりである。
【００５５】
ステップＳ２０１：ソーシャル・ネットワーク中のタグ付与ユーザがタグ受けユーザに対して付与するタグ情報を受信する。
【００５６】
ステップＳ２０２：タグ受けユーザに対してタグが付与されることを許可するか否かを判定する。許可の場合、ステップＳ２０３を実行し、許可しない場合、ステップＳ２０４を実行する。
【００５７】
例えば、タグ受けユーザ設定の「被タグ許可」フィールドの値を読み取ることによって、タグ受けユーザに対してタグが付与されることを許可するか否かを判定し、該フィールドの値は、「ＹＥＳ」である時、タグ受けユーザがタグが付与されることを許可したことを意味し、該フィールドの値は「ＮＯ」である時、タグ受けユーザがタグが付与されることを許可しないことを意味する。
【００５８】
ステップＳ２０３：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００５９】
ステップＳ２０４：タグが付与されることをタグ受けユーザが許可しないメッセージをタグ付与ユーザに送信する。
【００６０】
本発明の実施例は、タグ受けユーザの設定に基づいて、タグ受けユーザに対してタグ付与ユーザが付与したタグ情報を記憶するか否かを判定し、タグ受けユーザについてタグが付与されることを許可した時、タグ受けユーザに対してタグを付与する。このように、ユーザに対して随意にタグが付与されることを効果的に防止でき、タグの安全性及び有効性を向上できる。
【００６１】
本発明の実施例において、タグ受けユーザがタグ情報に同意するかを判定してタグをタグライブラリに記憶するかを確定することを追加して良い。該ステップは同様に他人から任意にタグが付与されることを防止できる。図３を参照して、方法の詳細なフローチャートは以下のとおりである。
【００６２】
ステップＳ３０１：ソーシャル・ネットワーク中のタグ付与ユーザがタグ受けユーザに対して付与するタグ情報を受信する。
【００６３】
ステップＳ３０２：タグ受けユーザが確認を行うように、タグ付与ユーザがタグ受けユーザに対して付与するタグ情報をタグ受けユーザに送信する。
【００６４】
ステップＳ３０３：タグ受けユーザが前記タグ情報に同意するメッセージを受信したか否かを判定する。「ＹＥＳ」である場合、ステップＳ３０４を実行し、「ＮＯ」である場合、ステップＳ３０５を実行する。
【００６５】
ステップＳ３０４：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００６６】
ステップＳ３０５：タグ付与ユーザより付与されたタグ情報をタグ受けユーザが拒絶したメッセージをタグ付与ユーザに送信する。
【００６７】
本発明の実施例において、タグ付与ユーザよりタグ受けユーザに対して付与するタグ情報にタグ受けユーザが同意するかを判定することを追加し、タグ受けユーザが同意した時にタグ情報をタグライブラリに記憶することによって、随意にタグが付与されることを効果的に防止でき、タグの安全性及び有効性を向上できる。
【００６８】
本発明の実施例において、タグ付与ユーザがタグ受けユーザに対してタグを付与した後、付与したタグ情報に対してタグ受けユーザが補足を行って良い。図４を参照して、方法の詳細なフローチャートは以下のとおりである。
【００６９】
ステップＳ４０１：ソーシャル・ネットワーク中のタグ付与ユーザがタグ受けユーザに対して付与するタグ情報を受信する。
【００７０】
ステップＳ４０２：タグ付与ユーザがタグ受けユーザに対して付与するタグ情報をタグ受けユーザに送信し、タグ受けユーザがタグ情報に対する補足を行う。
【００７１】
タグ受けユーザがタグ情報に対する補足を行うことは、例えば、タグ付与ユーザがタグ受けユーザに対して付与するタグ情報はソフトウェアエンジニアであり、タグ受けユーザが該タグ情報に対する補足を行った補足内容は、タグ受けユーザのできるプログラミング言語及び関連する開発経験である。これによってタグを改善し、タグ情報によってより詳細に該タグに対応のタグ受けユーザを描写することができる。
【００７２】
ステップＳ４０３：タグ受けユーザから送信された補足後のタグ情報を受信する。
【００７３】
ステップＳ４０４：タグ付与ユーザとタグ受けユーザと前記補足後のタグ情報とを関連付けて記憶し、ソーシャル・ネットワーク中のユーザ関係に基づいてタグライブラリを構築する。
【００７４】
本発明の実施例において、タグ受けユーザがタグ情報に対する補足を行うことを実現し、タグ内容を豊富にさせ、タグがより詳細且つ正確になる。
【００７５】
本発明の実施例において、タグ受けユーザがその他のユーザを招いて自身に対しタグを付与しても良い。図５を参照して、方法の詳細なフローチャートは以下のとおりである。
【００７６】
ステップＳ５０１：タグ受けユーザから送信された、少なくとも一人のタグ付与ユーザを招いて前記タグ受けユーザに対してタグを付与するための要求を受信する。
【００７７】
ステップＳ５０２：タグ受けユーザからのタグ付与の要求を、前記少なくとも一人のタグ付与ユーザのうちの各タグ付与ユーザに送信する。
【００７８】
ステップＳ５０３：タグ付与ユーザがタグ受けユーザに対して付与するタグ情報を受信する。
【００７９】
ステップＳ５０４：前記タグ情報をタグ受けユーザに送信して確認を行う。
【００８０】
ステップＳ５０５：タグ受けユーザが前記タグ情報に同意するメッセージを受信したか否かを判定する。「ＹＥＳ」である場合、ステップＳ５０６を実行し、「ＮＯ」である場合、ステップＳ５０７を実行する。
【００８１】
ステップＳ５０６：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００８２】
ステップＳ５０７：タグ付与ユーザより付与されたタグ情報をタグ受けユーザが拒絶したメッセージをタグ付与ユーザに送信する。
【００８３】
本発明の実施例は、タグ受けユーザが他人を受動的に待って他人より自身に対してタグ付与を行わず、タグ受けユーザが他人を自発的招いて他人より自身に対してタグ付与を行うことを実現することによって、タグ付与形態の柔軟性を向上すると共に、ユーザの体験を改善した。
【００８４】
本発明の実施例において、タグ受けユーザがその他のユーザを招いて、タグ受けユーザが自身に対して付与するタグ情報の確認を行ってもらうこともできる。図６を参照して、方法の詳細なフローチャートは以下のとおりである。
【００８５】
ステップＳ６０１：タグ受けユーザから送信された、少なくとも一人のタグ付与ユーザを招いて前記タグ受けユーザに対してタグを付与するための要求を受信する。該要求にはタグ受けユーザが自身に対して付与するタグ情報を含む。
【００８６】
ステップＳ６０２：前記タグ受けユーザからのタグ付与の要求を、前記少なくとも一人のタグ付与ユーザのうちの各タグ付与ユーザに送信する。該要求にはタグ受けユーザが自身に対して付与するタグ情報を含む。
【００８７】
ステップＳ６０３：タグ付与ユーザがタグ受けユーザに対して付与するタグ情報を受信する。
【００８８】
ここで、タグ付与ユーザがタグ受けユーザより自身に対して付与するタグ情報に対して修正しなかった場合、タグ受けユーザより自身に対して付与するタグ情報を、タグ付与ユーザがタグ受けユーザに対して付与するタグ情報とする。
【００８９】
ステップＳ６０４：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【００９０】
本発明の実施例は、タグ受けユーザがタグ情報を提供してタグ付与ユーザによる確認を要求する技術案を実現できた。このように、タグ受けユーザが自身でもタグ情報を編集でき、タグ付与ユーザがタグ情報の確認或は修正を行えば良いので、タグ付与ユーザ及びタグ受けユーザの操作がより柔軟になり、ユーザ体験を改善した。
【００９１】
本発明の実施例は、上述タグライブラリに基づいて、タグライブラリにおいてユーザの連絡先がタグ付与ユーザであるタグ情報の検索を行って、条件を満たすユーザをサーチする。図７を参照して、方法フローチャートは、以下のとおりである。
【００９２】
ステップＳ７０１：タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信する。
【００９３】
ステップＳ７０２：前記タグライブラリ中のユーザ関係に基づいて、前記検索発起者の予め設定のランキングの連絡先を確定する。前記予め設定のランキングの連絡先は、前記ユーザ関係に基づいて、予め設定のランキング内で前記検索発起者とユーザ関係を有する連絡先である。
【００９４】
例えば、ユーザＡの友人Ｂは、ユーザＡの一級連絡先であり、友人Ｂの友人Ｃは、ユーザＡの二級連絡先（この時、ユーザＣがユーザＡの一級連絡先ではない）であり、友人Ｃの友人Ｄは、ユーザＡの三級連絡先（この時、ユーザＤがユーザＡの一級、二級連絡先でもない）である。ここで、前記予め設定のランキングは、前記検索発起者によって設定しても良いし、システムによって設定しても良い。
【００９５】
ステップＳ７０３：前記タグライブラリ中の前記連絡先がタグ付与ユーザであるタグ情報において、前記キーワードにマッチングのタグ情報を検索する。
【００９６】
ステップＳ７０４：探し出したマッチングのタグ情報をフィードバックする。
【００９７】
一つの実施例において、前記タグライブラリ中のユーザ関係に基づいて、前記検索発起者、前記マッチングのタグ情報の帰属したタグ付与ユーザ、前記マッチングのタグ情報の帰属したタグ受けユーザとの間のユーザ関係を取得し、そのユーザ関係を前記検索発起者及び／或は前記マッチングのタグ情報の帰属したタグ受けユーザに送信する。例えば、ユーザＡが、ユーザＡの一級連絡先であるユーザＢより付与されたタグを検索することによって、ユーザＡの二級連絡先のユーザＣを探し出した場合、ユーザＡがユーザＢを介してタグ受けユーザＣを探し出したことは、それらの間のユーザ関係である。
【００９８】
本発明の実施例は、タグライブラリ中のタグ情報の検索を行うことによって連絡先をサーチする。これによって、ユーザが予め設定のランキングの連絡先を介して要求を満たしたユーザを正確且つ迅速的に見つけることができることに寄与する。見つけられたユーザは、連絡先付与のタグ情報によって見つけられたので、このように見つけられたユーザは、より信頼でき、ユーザ検索の成功率を向上できた。
【００９９】
以下、二つの実施例を用いてユーザ検索方法を説明する。図８を参照して、第一のユーザ検索方法の詳細なフローチャートは以下のとおりである。
【０１００】
ステップＳ８０１：ユーザＡが送信した、「美術関係のスタッフ」を検索する要求からキーワード「美術関係のスタッフ」を取得する。
【０１０１】
ステップＳ８０２：タグライブラリ中のユーザ関係に基づいて、ユーザＡの予め設定のランキングの連絡先を確定する。
【０１０２】
ステップＳ８０３：前記タグライブラリ中の前記連絡先がタグ付与ユーザであるタグ情報において、キーワード「美術関係のスタッフ」にマッチングのタグ情報を検索する。
【０１０３】
ステップＳ８０４：マッチングのタグ情報の帰属したタグ受けユーザＣの情報をユーザＡに送信する。
【０１０４】
例えば、ユーザＢは、ユーザＡの一級連絡先であり、ユーザＢが自身の友人であるユーザＣに対して付与するタグ情報は、美術関係のスタッフである。ユーザＡは、一人の美術関係のスタッフを探しているが、ユーザＣを知っていない。ユーザＡは、該検索によって、ユーザＢの付与したタグが「美術関係のスタッフ」であるユーザＣを見つけることができる。これで分かるように、該技術案は、ユーザＡのサーチ範囲を拡大することができ、ユーザＡとユーザＣは共同の友人であるユーザＢを有するので、見つけられた人は、より信頼できる。本発明の実施例は、ユーザの検索要求に基づいてユーザの間接連絡先からユーザを検索することができる。
【０１０５】
図９を参照して、第二のユーザ検索方法の詳細なフローチャートは以下のとおりである。
【０１０６】
ステップＳ９０１：タグライブラリ中のユーザＡをタグ受けユーザとするタグ情報からキーワード「ソフトウェアエンジニアのサーチ」を取得する。
【０１０７】
ステップＳ９０２：前記タグライブラリ中のユーザ関係に基づいてユーザＡの予め設定のランキングの連絡先を確定する。
【０１０８】
ステップＳ９０３：前記タグライブラリ中の前記連絡先がタグ付与ユーザであるタグ情報において、キーワード「ソフトウェアエンジニアのサーチ」にマッチングのタグを検索する。
【０１０９】
ここで、キーワード「ソフトウェアエンジニアのサーチ」にマッチングのタグは、例えば「私はソフトウェアエンジニアです」、「ソフトウェア工程従事」、「ソフトウェアエンジニア」、「ＩＴ労働者」等である。
【０１１０】
ステップＳ９０４：マッチングのタグ情報の帰属したタグ受けユーザＣの情報をユーザＡに送信し、ユーザＡの情報を前記タグ受けユーザＣに送信する。
【０１１１】
本発明のその他の実施例において、ステップＳ９０４は、マッチングのタグ情報の帰属したタグ受けユーザＣの情報のみをユーザＡに送信、或はユーザＡの情報のみを前記タグ受けユーザＣに送信しても良い。
【０１１２】
本発明の実施例は、ユーザのタグ情報のマッチングを行うことによって、ユーザへの推薦を自発的且つ正確的に行うことができ、検索の過程を省略でき、ユーザの時間及び工夫を節約できた。予め設定の時間間隔で定期的に本方法を実行することで、マッチングの効率を向上させることができる。
【０１１３】
本発明の実施例において、ユーザのプライバシーを保護するために、マッチングのタグ情報の帰属したタグ受けユーザを探し出した後、検索発起者及びマッチングのタグ情報の帰属したタグ受けユーザが、直接的に連絡できず、ユーザ関係における連絡先によって連絡を構築する。図１０を参照して、方法の詳細なフローチャートは以下のとおりである。
【０１１４】
ステップＳ１００１：タグライブラリ中のユーザＡをタグ受けユーザとするタグ情報から、キーワード「ソフトウェアエンジニアのサーチ」を取得する。
【０１１５】
ステップＳ１００２：前記タグライブラリ中のユーザ関係に基づいてユーザＡの予め設定のランキングの連絡先を確定する。
【０１１６】
ステップＳ１００３：前記タグライブラリ中の前記連絡先がタグ付与ユーザであるタグ情報において、キーワード「ソフトウェアエンジニアのサーチ」にマッチングのタグ情報を検索する。
【０１１７】
ステップＳ１００４：マッチングのタグ情報の帰属したタグ受けユーザＣの情報及びユーザＣとユーザＡとのユーザ関係をユーザＡに送信する。
【０１１８】
該ステップにおいて、ユーザＣとユーザＡとのユーザ関係をユーザＣに送信しても良い。これによって、ユーザＣは、即時に自身のタグ情報がその他のどのユーザのタグ情報にマッチングするのを知ることができる。
【０１１９】
ステップＳ１００５：ユーザＡがユーザ関係におけるユーザＢへ送信した、ユーザＣを連絡先として追加する要求を受信する。
【０１２０】
ステップＳ１００６：前記要求をユーザＢに送信する。
【０１２１】
ステップＳ１００７：ユーザＡがユーザＣを連絡先として追加することにユーザＢが同意するメッセージを受信したか否かを判定する。「ＹＥＳ」である場合、ステップ１００８を実行し、「ＮＯ」である場合、ステップ１０１１を実行する。
【０１２２】
ステップＳ１００８：ユーザＡがユーザＢを介してユーザＣを連絡先として追加することを要求するメッセージをユーザＣに送信する。
【０１２３】
ステップＳ１００９：ユーザＡがユーザＣを連絡先として追加することにユーザＣが同意するメッセージを受信したかを判定する。「ＹＥＳ」である場合、ステップ１０１０を実行し、「ＮＯ」である場合、ステップ１０１１を実行する。
【０１２４】
ステップＳ１０１０：ユーザＣ及びユーザＡを互いに連絡先として設定する。
【０１２５】
ステップＳ１０１１：要求が拒絶されたメッセージをユーザＡに送信する。
【０１２６】
本発明の実施例において、ユーザＡがユーザ関係における連絡先を介さなければユーザＣとのユーザ関係を構築できないため、間接連絡先のプライバシーが、漏れない或は邪魔されないことを保証できた。
【０１２７】
本発明の実施例は、更にタグライブラリ構築の装置を提供した。図１１を参照して、前記装置は、前記ソーシャル・ネットワーク中のタグ付与ユーザがタグ受けユーザに対して付与するタグ情報を受信する第一の受信モジュール１１０１と、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築するタグライブラリ構築モジュール１１０２とを備える。
【０１２８】
一つの実施例において、前記タグ付与ユーザがタグ受けユーザに対して付与するタグ情報は、職業、得意スキル、趣味嗜好、尊敬する有名人、仕事状態及び個人生活状態のうちの一種又は複数種の情報を含む。
【０１２９】
図１２を参照して、前記装置は更に、
タグ受けユーザから送信された、少なくとも一人のタグ付与ユーザを招いて前記タグ受けユーザに対してタグを付与するための要求を受信する第二の受信モジュール１１０３と、
前記タグ受けユーザからのタグ付与の要求を、前記少なくとも一人のタグ付与ユーザのうちの各タグ付与ユーザに送信する第一の送信モジュール１１０４とを備える。
【０１３０】
一つの実施例において、前記タグ受けユーザから送信された、少なくとも一人のタグ付与ユーザを招いて前記タグ受けユーザに対してタグを付与するための要求には、タグ受けユーザが自身に対して付与するタグ情報を含む。
【０１３１】
前記少なくとも一人のタグ付与ユーザのうちの各タグ付与ユーザに送信した、前記タグ受けユーザからのタグ付与の要求には、前記タグ受けユーザが自身に対して付与するタグ情報を含む。
【０１３２】
図１３を参照して、一つの実施例において、前記装置は更に、
タグ受けユーザに対してタグが付与されることを許可するか否かを判定する第一の判定モジュール１１０５を備え、
前記タグライブラリ構築モジュール１１０２は、タグ受けユーザはタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【０１３３】
図１４を参照して、一つの実施例において、前記装置は更に、
タグ受けユーザが確認を行うように、タグ付与ユーザがタグ受けユーザに対して付与するタグ情報をタグ受けユーザに送信する第二の送信モジュール１１０６と、
タグ受けユーザが前記タグ情報に同意するメッセージを受信したか否かを判定する第二の判定モジュール１１０７とを備え、
前記タグライブラリ構築モジュール１１０２は、
タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築する。
【０１３４】
図１５を参照して、一つの実施例において、前記装置は更に、
タグ受けユーザが補足を行うように、タグ付与ユーザがタグ受けユーザに対して付与するタグ情報をタグ受けユーザに送信する第三の送信モジュール１１０８と、
タグ受けユーザが補足した後のタグ情報を受信する第三の受信モジュール１１０９とを備え、
前記タグライブラリ構築モジュール１１０２は、
タグ付与ユーザとタグ受けユーザと前記補足後のタグ情報とを関連付けて記憶し、ソーシャル・ネットワーク中のユーザ関係に基づいてタグライブラリを構築する。
【０１３５】
図１６を参照して、一つの実施例において、前記装置は更に、
タグ付与ユーザがタグ受けユーザに対して付与するタグ情報の有効期限を取得する第一の取得モジュール１１１０と、
タグ情報の有効期限を超えた時、前記タグ情報の有効期限に関連するタグ付与ユーザとタグ受けユーザと前記タグ付与ユーザがタグ受けユーザに対して付与するタグ情報とをタグライブラリから削除する削除モジュール１１１１とを備え、
前記タグライブラリ構築モジュール１１０２は、
タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築する。
【０１３６】
本発明の実施例はユーザ検索装置を提供した。図１７を参照して、前記装置は、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信する第四の受信モジュール１７０１と、
前記タグライブラリ中のユーザ関係に基づいて、前記検索発起者の予め設定のランキングの連絡先、即ち前記ユーザ関係に基づいて、予め設定のランキング内で前記検索発起者とユーザ関係を有する連絡先を確定する確定モジュール１７０２と、
前記タグライブラリ中の前記連絡先がタグ付与ユーザであるタグ情報において、前記キーワードにマッチングのタグ情報を検索する検索モジュール１７０３と、
探し出したマッチングのタグ情報をフィードバックするフィードバックモジュール１７０４とを備える。
【０１３７】
一つの実施例において、前記検索要求は、前記検索発起者から前記タグライブラリへ送信されたものであり、前記フィードバックモジュールは、前記マッチングのタグ情報の帰属したタグ受けユーザの情報を前記検索発起者に送信する。
【０１３８】
一つの実施例において、前記検索要求は、前記タグライブラリ中のタグ情報のタグ受けユーザを検索発起者とし、前記タグ情報から前記検索のキーワードを取得する検索要求であり、前記フィードバックモジュールは、前記マッチングのタグ情報を前記検索発起者及び／或は前記マッチングのタグ情報の帰属したタグ受けユーザに送信する。
【０１３９】
一つの実施例において、前記予め設定のランキングが前記検索発起者或はシステムによって設定される。
【０１４０】
図１８を参照して、一つの実施例において、前記装置は更に、
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得する第二の取得モジュール１７０５と、
取得されたユーザ関係を前記検索発起者及び／或は前記マッチングのタグ情報の帰属したタグ受けユーザに送信する第四の送信モジュール１７０６とを備える。
【０１４１】
本技術分野の当業者は、本発明の実施例が方法、システム或はコンピュータープログラム製品の形で提供できることを理解すべきである。従って、本発明は、完全にハードウェアによる実施例、完全にソフトウェアによる実施例、或いはソフトウェアとハードウェアの組み合わせによる実施例の形態を使用することができる。本発明は、コンピューターが使用可能なプログラムコードを含む、コンピューターが使用可能な一つ或は複数の記録媒体（磁気ディスクメモリ、ＣＤ−ＲＯＭ、光学メモリなどを含むが、これに限定されない）で実施するコンピュータープログラム製品の形を使用することができる。
【０１４２】
本発明の実施例にかかる方法、デバイス（システム）、及びコンピュータープログラム製品のフローチャート、及び／又はブロック図を参照して本発明を記述した。コンピュータープログラムコマンドでフローチャート及び／又はブロック図のうちの各処理及び／又はブロック、フローチャート及び／又はブロック図のうちの処理及び／又はブロックの組み合わせを実現することができる、ということを理解すべきである。このようなコンピュータープログラム指令を汎用コンピューター、専用コンピューター、組込みプロセッサ、或いはその他のプログラミングデータ処理装置のプロセッサに供給して一つの機器を実現することができ、このようにして、コンピューター或いはその他のプログラミングデータ処理装置のプロセッサで実行する指令によって、フローチャートの一つ或いは複数の処理、及び／又は、ブロック図の一つ或いは複数のブロックで指定した機能を実現するための装置を提供することができる。
【０１４３】
このようなコンピュータープログラムコマンドは、コンピューター、或いはその他のプログラミングデータ処理装置が特定の方式で動作するように案内する、コンピューターが読み取り可能なメモリに記憶され、当該コンピューターが読み取り可能なメモリに記憶されているコマンドによって、コマンド装置を含む製品を生成するようにしてもよい。当該コマンド装置は、フローチャートの一つ或いは複数の処理、及び／又は、ブロック図の一つ或いは複数のブロックで指定した機能を実現する。
【０１４４】
このようなコンピュータープログラムコマンドは、コンピューター、或いはその他のプログラミングデータ処理装置にインストールされ、コンピューター、或いはその他のプログラミングデバイスで一連の操作ステップを実行して、コンピューターによる処理を実現してもよい。これによって、コンピューター、或いはその他のプログラミングデバイスで実行するコマンドを通じて、フローチャートの一つ或いは複数の処理、及び／又は、ブロック図の一つ或いは複数のブロックで指定した機能を実現するためのステップを提供する。
【０１４５】
本発明の好ましい実施例を説明したが、当業者は、基本的な創造性の概念を知った上で、これらの実施例に対してその他の変更や修正等を行うことができる。従って、本発明の請求の範囲は、好ましい実施例及び本発明の保護範囲に属する全ての変更及び修正を含むことを理解すべきである。
【０１４６】
もちろん、当該技術分野の当業者は、本発明の趣旨と範囲を離脱しない範囲で本発明に対していろいろな変更と変形を行うことができる。このように、本発明のこのような変更と変形が本発明の特許請求の範囲、及びその均等な技術の範囲に属する場合、本発明はこのような変更と変形を含むことを意図する。
【０１４７】
本願は、出願番号がＣＮ２０１３１０３３４３３５．２であり、出願日が２０１３年８月２日である中国特許出願に基づく優先権を主張する。ここで、該中国特許出願の全ての内容は、参照することで本願に組み込まれる。
【手続補正２】
【補正対象書類名】特許請求の範囲
【補正対象項目名】全文
【補正方法】変更
【補正の内容】
【特許請求の範囲】
【請求項１】
ソーシャル・ネットワーク中のタグ付与ユーザがタグ受けユーザに対して付与するタグ情報を受信し、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含むことを特徴とするタグライブラリ構築方法。
【請求項２】
前記タグ付与ユーザがタグ受けユーザに対して付与するタグ情報は、
職業、得意スキル、趣味嗜好、尊敬する有名人、仕事状態及び個人生活状態のうちの一種又は複数種の情報を含むことを特徴とする請求項１に記載のタグライブラリ構築方法。
【請求項３】
前記ソーシャル・ネットワーク中のタグ付与ユーザがタグ受けユーザに対して付与するタグ情報を受信する前に、
タグ受けユーザから送信された、少なくとも一人のタグ付与ユーザを招いて前記タグ受けユーザに対してタグを付与するための要求を受信し、
前記タグ受けユーザからのタグ付与の要求を、前記少なくとも一人のタグ付与ユーザのうちの各タグ付与ユーザに送信することを更に含むことを特徴とする請求項１に記載のタグライブラリ構築方法。
【請求項４】
前記タグ受けユーザから送信された、少なくとも一人のタグ付与ユーザを招いて前記タグ受けユーザに対してタグを付与するための要求には、タグ受けユーザが自身に対して付与するタグ情報を含み、
前記少なくとも一人のタグ付与ユーザのうちの各タグ付与ユーザに送信した、前記タグ受けユーザからのタグ付与の要求には、前記タグ受けユーザが自身に対して付与するタグ情報を含むことを特徴とする請求項３に記載のタグライブラリ構築方法。
【請求項５】
前記ソーシャル・ネットワーク中のタグ付与ユーザがタグ受けユーザに対して付与するタグ情報を受信した後に、
タグ受けユーザに対してタグが付与されることを許可するか否かを判定することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ受けユーザに対してタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含むことを特徴とする請求項１に記載のタグライブラリ構築方法。
【請求項６】
前記ソーシャル・ネットワーク中のタグ付与ユーザがタグ受けユーザに対して付与するタグ情報を受信した後に、
タグ受けユーザが確認を行うように、タグ付与ユーザがタグ受けユーザに対して付与するタグ情報をタグ受けユーザに送信し、
タグ受けユーザが前記タグ情報に同意するメッセージを受信したか否かを判定することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを含むことを特徴とする請求項１に記載のタグライブラリ構築方法。
【請求項７】
前記ソーシャル・ネットワーク中のタグ付与ユーザがタグ受けユーザに対して付与するタグ情報を受信した後に、
タグ受けユーザが補足を行うように、タグ付与ユーザがタグ受けユーザに対して付与するタグ情報をタグ受けユーザに送信し、
タグ受けユーザが補足した後のタグ情報を受信することを更に含み、
前記タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ付与ユーザとタグ受けユーザと前記補足後のタグ情報とを関連付けて記憶し、ソーシャル・ネットワーク中のユーザ関係に基づいてタグライブラリを構築することを含むことを特徴とする請求項１に記載のタグライブラリ構築方法。
【請求項８】
タグ付与ユーザがタグ受けユーザに対して付与するタグ情報の有効期限を取得することを更に含み、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することは、
タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築することを含み、
さらに、タグ情報の有効期限を超えた時、前記タグ情報の有効期限に関連するタグ付与ユーザとタグ受けユーザと前記タグ付与ユーザがタグ受けユーザに対して付与するタグ情報とを、タグライブラリから削除する含むことを特徴とする請求項１に記載のタグライブラリ構築方法。
【請求項９】
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信し、
前記タグライブラリ中のユーザ関係に基づいて、前記検索発起者の予め設定のランキングの連絡先、即ち前記ユーザ関係に基づいて予め設定のランキング内で前記検索発起者とユーザ関係を有する連絡先を確定し、
前記タグライブラリ中の前記連絡先がタグ付与ユーザであるタグ情報において、前記キーワードにマッチングのタグ情報を検索し、
探し出したマッチングのタグ情報をフィードバックすることを含むことを特徴とするユーザ検索方法。
【請求項１０】
前記検索要求は、前記検索発起者によって前記タグライブラリへ送信するものであり、
前記探し出したマッチングのタグ情報をフィードバックすることは、前記マッチングのタグ情報の帰属したタグ受けユーザの情報を前記検索発起者に送信することであることを特徴とする請求項９に記載のユーザ検索方法。
【請求項１１】
前記検索要求は、前記タグライブラリ中のタグ情報のタグ受けユーザを検索発起者とし、前記タグ情報から前記検索のキーワードを取得する検索要求であり、
前記探し出したマッチングのタグ情報をフィードバックすることは、前記マッチングのタグ情報を前記検索発起者及び／或は前記マッチングのタグ情報の帰属したタグ受けユーザに送信することであることを特徴とする請求項９に記載のユーザ検索方法。
【請求項１２】
前記予め設定のランキングが前記検索発起者或はシステムによって設定されることを特徴とする請求項９〜１１のうちの何れか一項に記載のユーザ検索方法。
【請求項１３】
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得し、
取得されたユーザ関係を、前記検索発起者及び／或は前記マッチングのタグ情報の帰属したタグ受けユーザに送信することを含むことを特徴とする請求項９〜１１のうちの何れか一項に記載のユーザ検索方法。
【請求項１４】
ソーシャル・ネットワーク中のタグ付与ユーザがタグ受けユーザに対して付与するタグ情報を受信する第一の受信モジュールと、
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築するタグライブラリ構築モジュールとを備えることを特徴とするタグライブラリ構築装置。
【請求項１５】
前記タグ付与ユーザがタグ受けユーザに対して付与するタグ情報は、
職業、得意スキル、趣味嗜好、尊敬する有名人、仕事状態及び個人生活状態のうちの一種又は複数種の情報を含むことを特徴とする請求項１４に記載のタグライブラリ構築装置。
【請求項１６】
タグ受けユーザから送信された、少なくとも一人のタグ付与ユーザを招いて前記タグ受けユーザに対してタグを付与するための要求を受信する第二の受信モジュールと、
前記タグ受けユーザからのタグ付与の要求を、前記少なくとも一人のタグ付与ユーザのうちの各タグ付与ユーザに送信する第一の送信モジュールとを更に備えることを特徴とする請求項１４に記載のタグライブラリ構築装置。
【請求項１７】
前記タグ受けユーザから送信された、少なくとも一人のタグ付与ユーザを招いて前記タグ受けユーザに対してタグを付与するための要求には、タグ受けユーザが自身に対して付与するタグ情報を含み、
前記少なくとも一人のタグ付与ユーザのうちの各タグ付与ユーザに送信した前記タグ受けユーザからのタグ付与の要求には、前記タグ受けユーザが自身に対して付与するタグ情報を含むことを特徴とする請求項１４に記載のタグライブラリ構築装置。
【請求項１８】
タグ受けユーザに対してタグが付与されることを許可するか否かを判定する第一の判定モジュールを更に備え、
前記タグライブラリ構築モジュールは、
タグ受けユーザに対してタグが付与されることを許可した場合、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを特徴とする請求項１４に記載のタグライブラリ構築装置。
【請求項１９】
タグ受けユーザが確認を行うように、タグ付与ユーザがタグ受けユーザに対して付与するタグ情報をタグ受けユーザに送信する第二の送信モジュールと、
タグ受けユーザが前記タグ情報に同意するメッセージを受信したか否かを判定する第二の判定モジュールとを更に備え、
前記タグライブラリ構築モジュールは、
タグ受けユーザが前記タグ情報に同意するメッセージを受信した時、タグ付与ユーザと、タグ受けユーザと、前記タグ付与ユーザがタグ受けユーザに対して付与するタグ情報とを関連付けて記憶し、ソーシャル・ネットワーク中のユーザ関係に基づいてタグライブラリを構築することを特徴とする請求項１４に記載のタグライブラリ構築装置。
【請求項２０】
タグ受けユーザが補足を行うように、タグ付与ユーザがタグ受けユーザに対して付与するタグ情報をタグ受けユーザに送信する第三の送信モジュールと、
タグ受けユーザが補足した後のタグ情報を受信する第三の受信モジュールと、を更に備え、
前記タグライブラリ構築モジュールは、タグ付与ユーザとタグ受けユーザと前記補足後のタグ情報とを関連付けて記憶し、ソーシャル・ネットワーク中のユーザ関係に基づいてタグライブラリを構築することを特徴とする請求項１４に記載のタグライブラリ構築装置。
【請求項２１】
タグ付与ユーザがタグ受けユーザに対して付与するタグ情報の有効期限を取得する第一の取得モジュールを更に備え、
前記タグライブラリ構築モジュールは、タグ付与ユーザと、タグ受けユーザと、前記タグ付与ユーザがタグ受けユーザに対して付与するタグ情報及び前記タグ情報の有効期限とを関連付けて記憶し、ソーシャル・ネットワーク中のユーザ関係に基づいてタグライブラリを構築し、
タグ情報の有効期限を超えた時、前記タグ情報の有効期限に関連するタグ付与ユーザ、タグ受けユーザ、前記タグ付与ユーザがタグ受けユーザに対して付与するタグ情報をタグライブラリから削除する削除モジュールを更に備えることを特徴とする請求項１４に記載のタグライブラリ構築装置。
【請求項２２】
タグ付与ユーザと、タグ受けユーザと、前記タグ付与ユーザがタグ受けユーザに対して付与するタグ情報とを関連付けて記憶し、ソーシャル・ネットワーク中のユーザ関係に基づいて構築したタグライブラリへ送信された、少なくとも検索発起者及び検索のキーワードを含む検索要求を受信する第四の受信モジュールと、
前記タグライブラリ中のユーザ関係に基づいて、前記検索発起者の予め設定のランキングの連絡先、即ち前記ユーザ関係に基づいて予め設定のランキング内で前記検索発起者とユーザ関係を有する連絡先を確定する確定モジュールと、
前記タグライブラリ中の前記連絡先がタグ付与ユーザであるタグ情報において、前記キーワードにマッチングのタグ情報を検索する検索モジュールと、
探し出したマッチングのタグ情報をフィードバックするフィードバックモジュールとを備えることを特徴とするユーザ検索装置。
【請求項２３】
前記検索要求は、前記検索発起者によって前記タグライブラリへ送信するものであり、
前記フィードバックモジュールは、前記マッチングのタグ情報の帰属したタグ受けユーザの情報を前記検索発起者に送信することを特徴とする請求項２２に記載のユーザ検索装置。
【請求項２４】
前記検索要求は、前記タグライブラリ中のタグ情報のタグ受けユーザを検索発起者とし、前記タグ情報から前記検索のキーワードを取得する検索要求であり、
前記フィードバックモジュールは、前記マッチングのタグ情報を前記検索発起者及び／或は前記マッチングのタグ情報の帰属したタグ受けユーザに送信することを特徴とする請求項２２に記載のユーザ検索装置。
【請求項２５】
前記予め設定のランキングが前記検索発起者或はシステムによって設定されることを特徴とする請求項２２〜２４のうちの何れか一項に記載のユーザ検索装置。
【請求項２６】
前記タグライブラリ中のユーザ関係に基づいて、前記検索発起者、前記マッチングのタグ情報の帰属したタグ付与ユーザ、及び前記マッチングのタグ情報の帰属したタグ受けユーザ間のユーザ関係を取得する第二の取得モジュールと、
取得されたユーザ関係を前記検索発起者及び／或は前記マッチングのタグ情報の帰属したタグ受けユーザに送信する第四の送信モジュールとを更に備えることを特徴とする請求項２２〜２４のうちの何れか一項に記載のユーザ検索装置。
【請求項２７】
プロセッサに実行されることにより、請求項１〜１３のいずれか一項に記載の方法を実現することを特徴とするプログラム。
【請求項２８】
請求項２７に記載のプログラムが記録された記録媒体。
【国際調査報告】
2015537308.tif 000021
2015537308.tif 000022
2015537308.tif 000023
2015537308.tif 000024